(57)【要約】本願は、上下リンク構成の指示方法、特定方法並びに基地局、端末を開示し、通信技術に関するものである。基地局は、上下リンク構成情報をＤＣＩメッセージを通じて少なくとも１つの端末に送信し、上下リンク構成情報を搬送するための上下リンク構成情報域をＤＣＩメッセージにおいて少なくとも１つ設定する。ＤＣＩメッセージにおける各上下リンク構成情報域のうちの少なくとも１つの各々が少なくとも１つの端末により解析される。ＤＣＩメッセージを受信する少なくとも１つの端末は、所定の構成に基づいて当該ＤＣＩメッセージを解析して当該ＤＣＩメッセージの該当位置から自身の上下リンク構成を取得する。このように、基地局から端末へのＴＤＤの上下リンク構成情報の指示が実現される。【選択図】図５
2016530771.tif 000002
【特許請求の範囲】
【請求項１】
上下リンク構成の指示方法であって、
基地局が上下リンク構成情報を特定することと、
基地局が上下リンク構成情報をＤＣＩメッセージを通じて少なくとも１つの端末に送信し、前記少なくとも１つの端末の各々が、予め設定したＤＣＩ構成情報に基づいて、前記ＤＣＩメッセージを解析して前記ＤＣＩメッセージから自身の上下リンク構成を特定すること
を含み、
前記ＤＣＩメッセージには、少なくとも１つの上下リンク構成情報域が含まれており、前記ＤＣＩメッセージに含まれる上下リンク構成情報域のうちの少なくとも１つの各々が少なくとも１つの端末により解析され、前記上下リンク構成情報域が前記上下リンク構成情報を搬送するためのものであることを特徴とする上下リンク構成の指示方法。
【請求項２】
前記ＤＣＩ構成情報には、具体的に、端末に対応する上下リンク構成情報域インデックス値を含み、
前記上下リンク構成情報域インデックス値は、前記端末に関連する上下リンク構成情報のＤＣＩメッセージにおける位置を特定するためのものであり、
前記端末が、当該上下リンク構成情報域インデックス値に基づいて、前記ＤＣＩメッセージから自身の上下リンク構成を特定することを特徴とする請求項１に記載の方法。
【請求項３】
前記ＤＣＩメッセージは、予め設定した時分割複信‐無線ネットワーク仮識別ＴＤＤ‐ＲＮＴＩにより巡回冗長検査ＣＲＣビットのスクランブリングが行なわれ、
前記ＤＣＩ構成情報には、具体的に、端末に対応するＤＣＩメッセージのＴＤＤ‐ＲＮＴＩ情報を含み、
前記端末が、当該ＴＤＤ‐ＲＮＴＩ情報に基づいて前記ＤＣＩメッセージを解析することを特徴とする請求項１に記載の方法。
【請求項４】
前記ＤＣＩ構成情報には、具体的に、前記ＤＣＩメッセージにおける有効情報域の長さ、又は、前記ＤＣＩメッセージにおける空き領域の長さを含むことを特徴とする請求項１に記載の方法。
【請求項５】
前記１つの上下リンク構成情報域は、１つの搬送波及び／又は１つの伝送ノードに対応することを特徴とする請求項１に記載の方法。
【請求項６】
前記１つの上下リンク構成情報域は、長さが３ビットであることを特徴とする請求項１に記載の方法。
【請求項７】
前記基地局が上下リンク構成情報をＤＣＩメッセージを通じて少なくとも１つの端末に送信することは、具体的に、
基地局が、物理下り制御チャネルＰＤＣＣＨ又は強化型物理下り制御チャネルＥＰＤＣＣＨの共有検索空間で、上下リンク構成情報をＤＣＩメッセージを通じて少なくとも１つの端末に送信することを含むことを特徴とする請求項１に記載の方法。
【請求項８】
各成分搬送波で伝送されるＤＣＩメッセージにおいて、本成分搬送波の上下リンク構成情報を付帯し、又は、各端末のメインセルで送信されるＤＣＩメッセージにおいて、当該端末がアグリゲートする各成分搬送波の上下リンク構成情報を付帯することを特徴とする請求項１に記載の方法。
【請求項９】
各端末のメインセルで送信されるＤＣＩメッセージにおいて、当該端末がアグリゲートする各成分搬送波の上下リンク構成情報を付帯する場合、前記基地局が上下リンク構成情報をＤＣＩメッセージを通じて少なくとも１つの端末に送信することは、具体的に、
基地局が、当該ＤＣＩメッセージを受信する各端末にサービスを提供する伝送ノード及び／又は搬送波の各上下リンク構成情報を取得し、取得した各上下リンク構成情報をＤＣＩメッセージを通じて各端末に送信することを含むことを特徴とする請求項８に記載の方法。
【請求項１０】
前記ＤＣＩメッセージに含まれる空きビットは、予め約定された固定値にセットされることを特徴とする請求項４に記載の方法。
【請求項１１】
上下リンク構成の特定方法であって、
端末が、基地局から送信されるＤＣＩメッセージを受信することと、
端末が、予め設定したＤＣＩ構成情報に基づいて、前記ＤＣＩメッセージを解析して前記ＤＣＩメッセージから自身の上下リンク構成を特定することを含み、
前記ＤＣＩメッセージには、少なくとも１つの上下リンク構成情報域が含まれており、前記ＤＣＩメッセージに含まれる上下リンク構成情報域のうちの少なくとも１つの各々が少なくとも１つの端末により解析され、前記上下リンク構成情報域が上下リンク構成情報を搬送するためのものであることを特徴とする上下リンク構成の特定方法。
【請求項１２】
前記ＤＣＩ構成情報には、具体的に、端末に対応する上下リンク構成情報域インデックス値を含み、
前記上下リンク構成情報域インデックス値は、前記端末に関連する上下リンク構成情報のＤＣＩメッセージにおける位置を特定するためのものであり、
前記端末が、予め設定したＤＣＩ構成情報に基づいて、前記ＤＣＩメッセージから自身の上下リンク構成を特定することは、具体的に、
端末が、当該上下リンク構成情報域インデックス値に基づいて、前記ＤＣＩメッセージから自身の上下リンク構成を特定することを含むことを特徴とする請求項１１に記載の方法。
【請求項１３】
前記ＤＣＩメッセージは、予め設定したＴＤＤ‐ＲＮＴＩによりＣＲＣビットのスクランブリングが行なわれ、
前記ＤＣＩ構成情報には、具体的に、端末に対応するＤＣＩメッセージのＴＤＤ‐ＲＮＴＩ情報を含み、
前記端末が、予め設定したＤＣＩ構成情報に基づいて、前記ＤＣＩメッセージを解析することは、具体的に、
端末が、前記ＴＤＤ‐ＲＮＴＩ情報に基づいて前記ＤＣＩメッセージを解析することを含むことを特徴とする請求項１１に記載の方法。
【請求項１４】
前記ＤＣＩ構成情報には、具体的に、前記ＤＣＩメッセージにおける有効情報域の長さ、又は、前記ＤＣＩメッセージにおける空き領域の長さを含み、
前記端末が、予め設定したＤＣＩ構成情報に基づいて、前記ＤＣＩメッセージを解析することは、具体的に、
端末が、前記ＤＣＩメッセージにおける有効情報域の長さ、又は、前記ＤＣＩメッセージにおける空き領域の長さに基づいて、前記ＤＣＩメッセージに対して最大尤度検出を行うことを含むことを特徴とする請求項１１に記載の方法。
【請求項１５】
前記１つの上下リンク構成情報域は、１つの搬送波及び／又は１つの伝送ノードに対応することを特徴とする請求項１１に記載の方法。
【請求項１６】
前記１つの上下リンク構成情報域は、長さが３ビットであることを特徴とする請求項１１に記載の方法。
【請求項１７】
前記端末が、基地局から送信されるＤＣＩメッセージを受信することは、具体的に、
端末が、基地局からＰＤＣＣＨ又はＥＰＤＣＣＨの共有検索空間で送信されるＤＣＩメッセージを受信することを含むことを特徴とする請求項１１に記載の方法。
【請求項１８】
各成分搬送波で伝送されるＤＣＩメッセージにおいて、本成分搬送波の上下リンク構成情報を付帯し、又は、各端末のメインセルで送信されるＤＣＩメッセージにおいて、当該端末がアグリゲートする各成分搬送波の上下リンク構成情報を付帯することを特徴とする請求項１１に記載の方法。
【請求項１９】
前記ＤＣＩメッセージに含まれる空きビットは、予め約定された固定値にセットされることを特徴とする請求項１４に記載の方法。
【請求項２０】
基地局であって、
上下リンク構成情報を特定するための特定ユニットと、
上下リンク構成情報をＤＣＩメッセージを通じて少なくとも１つの端末に送信するための送信ユニットを含み、
前記少なくとも１つの端末の各々が、予め設定したＤＣＩ構成情報に基づいて、前記ＤＣＩメッセージを解析して前記ＤＣＩメッセージから自身の上下リンク構成を特定し、
前記ＤＣＩメッセージには、少なくとも１つの上下リンク構成情報域が含まれており、前記ＤＣＩメッセージに含まれる上下リンク構成情報域のうちの少なくとも１つの各々が少なくとも１つの端末により解析され、前記上下リンク構成情報域が前記上下リンク構成情報を搬送するためのものであることを特徴とする基地局。
【請求項２１】
前記ＤＣＩ構成情報には、具体的に、端末に対応する上下リンク構成情報域インデックス値を含み、
前記上下リンク構成情報域インデックス値は、前記端末に関連する上下リンク構成情報のＤＣＩメッセージにおける位置を特定するためのものであり、
前記端末が、当該上下リンク構成情報域インデックス値に基づいて、前記ＤＣＩメッセージから自身の上下リンク構成を特定することを特徴とする請求項２０に記載の基地局。
【請求項２２】
前記ＤＣＩメッセージは、予め設定した時分割複信‐無線ネットワーク仮識別ＴＤＤ‐ＲＮＴＩにより巡回冗長検査ＣＲＣビットのスクランブリングが行なわれ、
前記ＤＣＩ構成情報には、具体的に、端末に対応するＤＣＩメッセージのＴＤＤ‐ＲＮＴＩ情報を含み、
前記端末が、当該ＴＤＤ‐ＲＮＴＩ情報に基づいて前記ＤＣＩメッセージを解析することを特徴とする請求項２０に記載の基地局。
【請求項２３】
前記ＤＣＩ構成情報には、具体的に、前記ＤＣＩメッセージにおける有効情報域の長さ、又は、前記ＤＣＩメッセージにおける空き領域の長さを含むことを特徴とする請求項２０に記載の基地局。
【請求項２４】
前記１つの上下リンク構成情報域は、１つの搬送波及び／又は１つの伝送ノードに対応することを特徴とする請求項２０に記載の基地局。
【請求項２５】
前記１つの上下リンク構成情報域は、長さが３ビットであることを特徴とする請求項２０に記載の基地局。
【請求項２６】
前記送信ユニットは、具体的に、
ＰＤＣＣＨ又はＥＰＤＣＣＨの共有検索空間で、上下リンク構成情報をＤＣＩメッセージを通じて少なくとも１つの端末に送信することを特徴とする請求項２０に記載の基地局。
【請求項２７】
各成分搬送波で伝送されるＤＣＩメッセージにおいて、本成分搬送波の上下リンク構成情報を付帯し、又は、各端末のメインセルで送信されるＤＣＩメッセージにおいて、当該端末がアグリゲートする各成分搬送波の上下リンク構成情報を付帯することを特徴とする請求項２０に記載の基地局。
【請求項２８】
各端末のメインセルで送信されるＤＣＩメッセージにおいて、当該端末がアグリゲートする各成分搬送波の上下リンク構成情報を付帯する場合、前記送信ユニットは、具体的に、
当該ＤＣＩメッセージを受信する各端末にサービスを提供する伝送ノード及び／又は搬送波の各上下リンク構成情報を取得し、取得した各上下リンク構成情報をＤＣＩメッセージを通じて各端末に送信することを特徴とする請求項２７に記載の基地局。
【請求項２９】
前記ＤＣＩメッセージに含まれる空きビットは、予め約定された固定値にセットされることを特徴とする請求項２３に記載の基地局。
【請求項３０】
端末であって、
基地局から送信されるＤＣＩメッセージを受信するための受信ユニットと、
予め設定したＤＣＩ構成情報に基づいて、前記ＤＣＩメッセージを解析して前記ＤＣＩメッセージから自身の上下リンク構成を特定するための解析ユニットを含み、
前記ＤＣＩメッセージには、少なくとも１つの上下リンク構成情報域が含まれており、前記ＤＣＩメッセージに含まれる上下リンク構成情報域のうちの少なくとも１つの各々が少なくとも１つの端末により解析され、上下リンク構成情報域が上下リンク構成情報を搬送するためのものであることを特徴とする端末。
【請求項３１】
前記ＤＣＩ構成情報には、具体的に、端末に対応する上下リンク構成情報域インデックス値を含み、
前記上下リンク構成情報域インデックス値は、前記端末に関連する上下リンク構成情報のＤＣＩメッセージにおける位置を特定するためのものであり、
前記解析ユニットが、予め設定したＤＣＩ構成情報に基づいて、前記ＤＣＩメッセージから自身の上下リンク構成を特定することは、具体的に、
前記上下リンク構成情報域インデックス値に基づいて、前記ＤＣＩメッセージから自身の上下リンク構成を特定することを含むことを特徴とする請求項３０に記載の端末。
【請求項３２】
前記ＤＣＩメッセージは、予め設定したＴＤＤ‐ＲＮＴＩにより巡回冗長検査ＣＲＣビットのスクランブリングが行なわれ、
前記ＤＣＩ構成情報には、具体的に、端末に対応するＤＣＩメッセージのＴＤＤ‐ＲＮＴＩ情報を含み、
前記解析ユニットが、予め設定したＤＣＩ構成情報に基づいて、前記ＤＣＩメッセージを解析することは、具体的に、
前記ＴＤＤ‐ＲＮＴＩ情報に基づいて前記ＤＣＩメッセージを解析することを含むことを特徴とする請求項３０に記載の端末。
【請求項３３】
前記ＤＣＩ構成情報には、具体的に、前記ＤＣＩメッセージにおける有効情報域の長さ、又は、前記ＤＣＩメッセージにおける空き領域の長さを含み、
前記解析ユニットが、予め設定したＤＣＩ構成情報に基づいて、前記ＤＣＩメッセージを解析することは、具体的に、
前記ＤＣＩメッセージにおける有効情報域の長さ、又は、前記ＤＣＩメッセージにおける空き領域の長さに基づいて、前記ＤＣＩメッセージに対して最大尤度検出を行うことを含むことを特徴とする請求項３０に記載の端末。
【請求項３４】
前記１つの上下リンク構成情報域は、１つの搬送波及び／又は１つの伝送ノードに対応することを特徴とする請求項３０に記載の端末。
【請求項３５】
前記１つの上下リンク構成情報域は、長さが３ビットであることを特徴とする請求項３０に記載の端末。
【請求項３６】
前記受信ユニットは、具体的に、
基地局からＰＤＣＣＨ又はＥＰＤＣＣＨの共有検索空間で送信されるＤＣＩメッセージを受信することを特徴とする請求項３０に記載の端末。
【請求項３７】
各成分搬送波で伝送されるＤＣＩメッセージにおいて、本成分搬送波の上下リンク構成情報を付帯し、又は、各端末のメインセルで送信されるＤＣＩメッセージにおいて、当該端末がアグリゲートする各成分搬送波の上下リンク構成情報を付帯することを特徴とする請求項３０に記載の端末。
【請求項３８】
前記ＤＣＩメッセージに含まれる空きビットは、予め約定された固定値にセットされることを特徴とする請求項３３に記載の端末。
【発明の詳細な説明】
【技術分野】
【０００１】
本願は、２０１３年７月１６日に中華人民共和国国家知識財産局に提出された出願番号２０１３１０２９８１４４．５、発明の名称「上下リンク構成の指示方法、特定方法並びに基地局、端末」の優先権を主張し、その全ての内容が援用により本願に取り込まれる。
【０００２】
本発明は、通信技術に関し、特に、上下リンク構成の指示方法、特定方法並びに基地局、端末に関する。
【背景技術】
【０００３】
二つの基本的な複信方式の１つである時分割複信ＴＤＤ（Ｔｉｍｅ  Ｄｉｖｉｓｉｏｎ  Ｄｕｐｌｅｘ）方式は、ブロードバンド移動通信において帯域幅に対する要求が増えつつあるという背景のもとで、ますます注目されている。ＴＤＤシステムにおいて、上りリンクと下りリンクの伝送には同一の周波数資源が使用され、異なるスロットで上り／下り信号が伝送される。３ＧのＴＤ‐ＳＣＤＭＡ（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）システムと４ＧのＴＤ‐ＬＴＥ（ＴＤ‐ＳＣＤＭＡ  Ｌｏｎｇ  Ｔｅｒｍ  Ｅｖｏｌｕｔｉｏｎ）システムを含む通常のＴＤＤシステムにおいて、上りリンクと下りリンクのタイムスロット分割は、静的又は半静的に行われ、ネットワークの企画段階においてセルの種類と大体のサービス割合に応じて、上下リンクのタイムスロット分割割合を特定して一定に保持することが通常のやり方である。これは、マクロセルによる広域のカバレッジという背景のもとで比較的簡単なやり方であり、しかも比較的効果的なやり方である。第３世代移動体通信システムの標準化プロジェクト３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ  Ｒｅｌ‐８／９／１０のＴＤＤ方式において、図１に示すフレーム構造が採用される。ここで、上下リンクのサブフレーム割当方式として、表１に示す７種類の方式がサポートされる。
【０００４】
【表１】
2016530771.tif 000003
【０００５】
技術の発展につれて、多くのピコセル（Ｐｉｃｏ  ｃｅｌｌ）、ホーム基地局（Ｈｏｍｅ  ＮｏｄｅＢ）など低電力基地局は、局部の小範囲カバレッジを提供するのに配置される。この種類のスモールセルにおいて、端末数が比較的少なく、且つ端末のサービスに対するリクエストの変化が比較的大きいため、セルの上下リンクのサービス割合へのリクエストは、動的に変化することがある。例えばＴＤ‐ＬＴＥスタンダードにおいて、セルの上下リンクのスロット割合をオンラインで変更することがサポートされるものの、比較的複雑なシグナリングフローと設定時間が必要とされるため、システム性能を低下させ、リアルタイムでのサービス変化を追跡することもできない。
【０００６】
これに基づいて、３ＧＰＰでは、Ｒｅｌ‐１１の研究プロジェクト「Ｆｕｒｔｈｅｒ  Ｅｎｈａｎｃｅｍｅｎｔｓ  ｔｏ  ＬＴＥ  ＴＤＤ  ｆｏｒ  ＤＬ‐ＵＬ  Ｉｎｔｅｒｆｅｒｅｎｃｅ  Ｍａｎａｇｅｍｅｎｔ  ａｎｄ  Ｔｒａｆｆｉｃ  Ａｄａｐｔａｔｉｏｎ」  （３ＧＰＰ  ＴＲ３６．８２８）が進められており、主に、スモールセルにおいてサービスへのリクエストに応じてＵＬ‐ＤＬ（Ｕｐｌｉｎｋ‐Ｄｏｗｎｌｉｎｋ）のサブフレーム割当を柔軟に変更することについて研究を行っている。そのうちの一種の方式として、基地局が物理層のチャネル及び／又は信号を使用して、ＴＤＤの上下リンクのサブフレームの設定を指示する情報を端末に送信することである。この方式により、１０ｍｓ毎に無線フレームにおける上下リンク割当を変更することができる。典型的な物理層シグナリング方法は、下り制御情報ＤＣＩ（Ｄｏｗｎｌｉｎｋ  Ｃｏｎｔｒｏｌ  Ｉｎｄｉｃａｔｏｒ）を採用してＴＤＤの上下リンクのサブフレーム構成情報を指示することであり、特に従来のＤＣＩ  ｆｏｒｍａｔを利用する。
【０００７】
ＤＣＩは、主にＰＤＣＣＨ（物理下りリンク制御チャネル）により搬送され、上り／下りリンクのスケジューリング情報及び関連する公共制御情報を効果的伝送することに用いられる。現在、ＬＴＥシステムにおいて、１０種類のＤＣＩフォーマットが定義されており、各ＤＣＩフォーマットの主要な機能を表２に示す。
【０００８】
【表２】
2016530771.tif 000004
【０００９】
ＤＣＩメッセージビットは、まず巡回冗長検査ＣＲＣ（Ｃｙｃｌｉｃ  Ｒｅｄｕｎｄａｎｃｙ  Ｃｈｅｃｋ）によって検査されて、ＣＲＣ検査情報が付加され、それから無線ネットワーク仮識別ＲＮＴＩ（Ｒａｄｉｏ  Ｎｅｔｗｏｒｋ  Ｔｅｍｐｏｒａｒｙ  Ｉｄｅｎｔｉｆｉｅｒ）により、ＣＲＣ検査情報ビットに対するスクランブリングが行われ、それからチャネルの符号化とレートマッチングの処理が行われる。
【００１０】
異なるＤＣＩフォーマットによる機能に基づいて、ＤＣＩフォーマットは、さらに四種類の主要なタイプに分類できる。
物理上りリンク共用チャネルＰＵＳＣＨ（Ｐｈｙｓｉｃａｌ  Ｕｐｌｉｎｋ  Ｓｈａｒｅｄ  Ｃｈａｎｎｅｌ）によりスケジューリングされるＤＣＩフォーマット。例えば、ＤＣＩフォーマット０。
物理下りリンク共用チャネルＰＤＳＣＨ（Ｐｈｙｓｉｃａｌ  Ｄｏｗｎｌｉｎｋ  Ｓｈａｒｅｄ  Ｃｈａｎｎｅｌ）によりスケジューリングされるＤＣＩフォーマット。例えば、ＤＣＩフォーマット１、１Ａ、１Ｂ、１Ｄ、２、２Ａ。
公共制御情報をスケジューリングするＤＣＩフォーマット。例えば、ＤＣＩフォーマット１Ａ、１Ｃ。
マルチキャストの電力制御情報をスケジューリングするＤＣＩフォーマット。例えば、ＤＣＩフォーマット３、３Ａ。
【００１１】
最大尤度検出は、最適な検出アルゴリズムであり、受信のダイバシティ利得を完全に取得できる。しかし、問題点としては、複雑すぎることであり、検出の際に全てのありうる送信ベクトルをトラバースしなければならない。
【数１】
2016530771.tif 000005
このような検索複雑度は、実際のシステムにおいて受け入れがたいものである。従って、有効ビットが比較的少ない場合に限って、最大尤度検出アルゴリズムが実用的である。
【００１２】
キャリアアグリゲーション（ｃａｒｒｉｅｒ  ａｇｇｒｅｇａｔｉｏｎ）の基本原理
ＬＴＥ  Ｒ８搬送波を基本単位とし、各ＬＴＥ  Ｒ８搬送波が１つの成分搬送波ＣＣ（Ｃｏｍｐｏｎｅｎｔ  Ｃａｒｒｉｅｒ）を構成し、複数の成分搬送波をアグリゲート（ａｇｇｒｅｇａｔｅ）してより大きい帯域幅にする。ここで、各搬送波の最大帯域幅が２０ＭＨｚである。このようなマルチキャリア方式は、キャリアアグリゲーション（ｃａｒｒｉｅｒ  ａｇｇｒｅｇａｔｉｏｎ）方式と呼ばれる。図２に示すように、５個の帯域幅２０ＭＨｚの成分搬送波をアグリゲートして帯域幅１００ＭＨｚへの拡張を実現する。
【００１３】
キャリアアグリゲーションの実現方式は、１つの周波数帯内の複数の連続する連続搬送波のアグリゲーションと、通信業者によるスペクトラムの柔軟使用を満足するための、複数の非連続するスペクトラムのアグリゲーションとの２種類ある。連続搬送波のアグリゲーションにおいて、全ての成分搬送波が同一の周波数帯に属するが、非連続搬送波のアグリゲーションにおいて、アグリゲートされる搬送波が同一の周波数帯内にあってもよいし、周波数帯を跨る成分搬送波１のアグリゲーションであってもよい。図３には、非連続搬送波の模式図が示されている。図３において、周波数帯を跨る２つの２０ＭＨｚの成分搬送波は、１つの帯域幅４０ＭＨｚのマルチキャリアシステムにアグリゲートされる。
【００１４】
マルチポイント協調伝送（Ｃｏｏｒｄｉｎａｔｅｄ  ｍｕｌｔｉ‐ｐｏｉｎｔ  ｏｐｅｒａｔｉｏｎ）の応用場面：
場面１：図４ａに示すように、同種ネットワークにおいて、ｉｎｔｒａ‐ｓｉｔｅで協調する。
場面２：図４ｂに示すように、同種ネットワークにおいて、複数の伝送ノードが協調する（ｉｎｔｒａ‐ｅＮＢ）。
場面３：図４ｃに示すように、異種ネットワークにおいて、複数の伝送ノードが協調する。マクロ基地局のカバレッジ内に複数の低電力ノードが配置され、各伝送ノードに独立なセルＩＤが設定される。
場面４：図４ｃに示すように、異種ネットワークにおいて、複数の伝送ノードが協調する。マクロ基地局のカバレッジ内に複数の低電力ノードが配置され、全ての伝送ノードに同一のセルＩＤが設定される。場面４は、場面３との本質的な相違として、全ての伝送ノードに同一のセルＩＤが設定され、且つ伝送ノードから統一のセルレベル公共情報（例えば公共ＤＣＩメッセージ）が送信されることである。図４ｄに示すように、各伝送ノードに上下リンク構成が独立に設定されるが、全ての伝送ノードから同一の公共ＤＣＩメッセージが送信される。
【００１５】
以上から、現在、上下リンク構成は、多種類があるものの、ＴＤＤの上下リンク構成情報を指示する方法がないことがわかる。
【発明の概要】
【００１６】
本発明の実施例は、ＴＤＤの上下リンク構成情報の指示を実現する上下リンク構成の指示方法、特定方法並びに基地局、端末を提供する。
【００１７】
本発明の実施例が提供する上下リンク構成の指示方法は、基地局が上下リンク構成情報を特定することと、基地局が上下リンク構成情報をＤＣＩメッセージを通じて少なくとも１つの端末に送信し、前記少なくとも１つの端末の各々が、予め設定したＤＣＩ構成情報に基づいて、前記ＤＣＩメッセージを解析して前記ＤＣＩメッセージから自身の上下リンク構成を特定することを含み、前記ＤＣＩメッセージには、少なくとも１つの上下リンク構成情報域が含まれており、前記ＤＣＩメッセージに含まれる上下リンク構成情報域のうちの少なくとも１つの各々が少なくとも１つの端末により解析され、前記上下リンク構成情報域が前記上下リンク構成情報を搬送するためのものである。
【００１８】
基地局が上下リンク構成情報をＤＣＩメッセージを通じて少なくとも１つの端末に送信するため、端末は、所定の構成に基づいて、当該ＤＣＩメッセージを解析して当該ＤＣＩメッセージの該当位置から自身の上下リンク構成を取得する。このように、基地局から端末へのＴＤＤの上下リンク構成情報の指示が実現される。
【００１９】
さらに、端末の伝送ノード、搬送波状態又は上下リンクの柔軟な設定のサポート状況に変化があった場合、当該端末に対応する新しいＤＣＩ構成情報を当該端末に基地局からリアルタイムに送信することを実現するために、当該方法は、さらに以下を含む。基地局は、端末の伝送ノード、搬送波状態又は上下リンクの柔軟な設定のサポート状況の変化を特定した場合、当該端末に対応する新しいＤＣＩ構成情報を当該端末に送信する。
【００２０】
端末がその上下リンク構成のＤＣＩメッセージにおける位置を特定しやすくするために、ＤＣＩ構成情報には、具体的に、端末に対応する上下リンク構成情報域インデックス値を含む。前記上下リンク構成情報域インデックス値は、属する前記端末に関連する上下リンク構成情報のＤＣＩメッセージにおける位置を特定するためのものである。前記端末は、当該上下リンク構成情報域インデックス値に基づいて、前記ＤＣＩメッセージから自身の上下リンク構成を特定する。
【００２１】
さらに、前記ＤＣＩメッセージは、予め設定した時分割複信‐無線ネットワーク仮識別ＴＤＤ‐ＲＮＴＩにより巡回冗長検査ＣＲＣビットのスクランブリングが行なわれる。前記ＤＣＩ構成情報には、端末に対応するＤＣＩメッセージのＴＤＤ‐ＲＮＴＩ情報をさらに含む。前記端末は、当該ＴＤＤ‐ＲＮＴＩ情報に基づいて前記ＤＣＩメッセージを解析する。
【００２２】
さらに、ＤＣＩメッセージに空き領域がある場合、端末が検出しやすくするために、前記ＤＣＩ構成情報には、前記ＤＣＩメッセージにおける有効情報域の長さ、又は、前記ＤＣＩメッセージにおける空き領域の長さをさらに含む。
【００２３】
前記１つの上下リンク構成情報域は、１つの搬送波及び／又は１つの伝送ノードに対応することが好ましい。
【００２４】
システム資源を効果的に利用するために、１つの前記上下リンク構成情報域は、長さが３ビットである。
【００２５】
本発明の実施例は、基地局が上下リンク構成情報をＤＣＩメッセージを通じて少なくとも１つの端末に送信する具体的な実施形態を提供し、具体的に以下を含む。基地局は、ＰＤＣＣＨ又はＥＰＤＣＣＨの共有検索空間で、上下リンク構成情報をＤＣＩメッセージを通じて少なくとも１つの端末に送信する。
【００２６】
本発明の実施例は、２種類の具体的な伝送方式を提供する。各成分搬送波で伝送されるＤＣＩメッセージにおいて、本成分搬送波の上下リンク構成情報を付帯する。又は、各端末のメインセルで送信されるＤＣＩメッセージにおいて、当該端末によるアグリゲートされる各成分搬送波の上下リンク構成情報を付帯する。
【００２７】
各端末のメインセルで送信されるＤＣＩメッセージにおいて、当該端末によりアグリゲートされる各成分搬送波の上下リンク構成情報を付帯する場合、前記基地局が上下リンク構成情報をＤＣＩメッセージを通じて少なくとも１つの端末に送信することは、具体的に以下を含む。基地局は、当該ＤＣＩメッセージを受信する各端末にサービスを提供する伝送ノード及び／又は搬送波の各上下リンク構成情報を取得し、取得した各上下リンク構成情報をＤＣＩメッセージを通じて各端末に送信する。
【００２８】
端末が検出しやすいようにするために、前記ＤＣＩメッセージに含まれる空きビットは、所定の固定値にセットされることが好ましい。
【００２９】
本発明の実施例は、対応して、上下リンク構成の特定方法を提供し、端末が、基地局から送信されるＤＣＩメッセージを受信することと、端末が、予め設定したＤＣＩ構成情報に基づいて、前記ＤＣＩメッセージを解析して前記ＤＣＩメッセージから自身の上下リンク構成を特定することを含み、前記ＤＣＩメッセージには、少なくとも１つの上下リンク構成情報域が含まれており、前記ＤＣＩメッセージに含まれる上下リンク構成情報域のうちの少なくとも１つの上下リンク構成情報域の各々が少なくとも１つの端末により解析され、前記上下リンク構成情報域が前記上下リンク構成情報を搬送するためのものである。
【００３０】
基地局が上下リンク構成情報をＤＣＩメッセージを通じて少なくとも１つの端末に送信するため、端末は、所定の構成に基づいて、当該ＤＣＩメッセージを解析して当該ＤＣＩメッセージの該当位置から自身の上下リンク構成を取得する。このように、基地局から端末へのＴＤＤの上下リンク構成情報の指示が実現される。
【００３１】
さらに、端末の伝送ノード、搬送波状態又は上下リンクの柔軟な設定のサポート状況に変化があった場合、当該端末に対応する新しいＤＣＩ構成情報を当該端末に基地局からリアルタイムに送信することを実現するために、当該方法は、さらに以下を含む。端末は、基地局が端末の伝送ノード、搬送波状態又は上下リンクの柔軟な設定のサポート状況の変化を特定した場合に送信する当該端末に対応する新しいＤＣＩ構成情報を受信する。
【００３２】
端末がその上下リンク構成のＤＣＩメッセージにおける位置を特定しやすいようにするために、前記ＤＣＩ構成情報には、具体的に、端末に対応する上下リンク構成情報域インデックス値を含む。前記上下リンク構成情報域インデックス値は、所属する前記端末に関連する上下リンク構成情報のＤＣＩメッセージにおける位置を特定するためのものである。この場合、前記端末が、予め設定したＤＣＩ構成情報に基づいて、前記ＤＣＩメッセージから自身の上下リンク構成を特定することは、具体的に以下を含む。端末は、前記上下リンク構成情報域インデックス値に基づいて、前記ＤＣＩメッセージから自身の上下リンク構成を特定する。
【００３３】
さらに、前記ＤＣＩメッセージは、予め設定したＴＤＤ‐ＲＮＴＩによりＣＲＣビットのスクランブリングが行なわれる。前記ＤＣＩ構成情報には、端末に対応するＤＣＩメッセージのＴＤＤ‐ＲＮＴＩ情報をさらに含む。この場合、前記端末が、予め設定したＤＣＩ構成情報に基づいて、前記ＤＣＩメッセージを解析することは、具体的に以下を含む。端末は、前記ＴＤＤ‐ＲＮＴＩ情報に基づいて前記ＤＣＩメッセージを解析する。
【００３４】
さらに、ＤＣＩメッセージに空き領域がある場合、端末が検出しやすいようにするために、前記ＤＣＩ構成情報には、前記ＤＣＩメッセージにおける有効情報域の長さ、又は、前記ＤＣＩメッセージにおける空き領域の長さをさらに含む。前記端末が、予め設定したＤＣＩ構成情報に基づいて、前記ＤＣＩメッセージを解析することは、具体的に以下を含む。端末は、前記ＤＣＩメッセージにおける有効情報域の長さ、又は、前記ＤＣＩメッセージにおける空き領域の長さに基づいて、前記ＤＣＩメッセージに対して最大尤度検出を行う。
【００３５】
前記１つの上下リンク構成情報域は、１つの搬送波及び／又は１つの伝送ノードに対応することが好ましい。
【００３６】
システム資源を効果的に利用するために、前記１つの上下リンク構成情報域は、長さが３ビットである。
【００３７】
具体的に、前記端末が、基地局から送信されるＤＣＩメッセージを受信することは、具体的に以下を含む。端末は、基地局からＰＤＣＣＨ又はＥＰＤＣＣＨの共有検索空間で送信されるＤＣＩメッセージを受信する。
【００３８】
本発明の実施例は、２種類の具体的な伝送方式を提供する。各成分搬送波で伝送されるＤＣＩメッセージにおいて、本成分搬送波の上下リンク構成情報を付帯する。又は、各端末のメインセルで送信されるＤＣＩメッセージにおいて、当該端末がアグリゲートする各成分搬送波の上下リンク構成情報を付帯する。
【００３９】
さらに、前記ＤＣＩメッセージは、予め設定したＴＤＤ‐ＲＮＴＩによりＣＲＣビットのスクランブリングが行なわれる。
【００４０】
前記ＤＣＩメッセージに含まれる空きビットは、所定の固定値にセットされることが好ましい。
【００４１】
本発明の実施例は、特定ユニットと送信ユニットを含む基地局をさらに提供する。特定ユニットは、上下リンク構成情報を特定する。送信ユニットは、上下リンク構成情報をＤＣＩメッセージを通じて少なくとも１つの端末に送信する。前記少なくとも１つの端末の各々は、予め設定したＤＣＩ構成情報に基づいて、前記ＤＣＩメッセージを解析して前記ＤＣＩメッセージから自身の上下リンク構成を特定する。前記ＤＣＩメッセージには、少なくとも１つの上下リンク構成情報域が含まれており、前記ＤＣＩメッセージに含まれる上下リンク構成情報域のうちの少なくとも１つの各々が少なくとも１つの端末により解析され、前記上下リンク構成情報域が前記上下リンク構成情報を搬送するためのものである。
【００４２】
当該基地局は、上下リンク構成情報をＤＣＩメッセージを通じて少なくとも１つの端末に送信する。端末は、所定の構成に基づいて、当該ＤＣＩメッセージを解析して当該ＤＣＩメッセージの該当位置から自身の上下リンク構成を取得する。このように、基地局から端末へのＴＤＤの上下リンク構成情報の指示が実現される。
【００４３】
端末の伝送ノード、搬送波状態又は上下リンクの柔軟設定のサポート状況に変化があった場合、当該端末に対応する新しいＤＣＩ構成情報を当該端末に基地局からリアルタイムに送信することを実現するために、前記送信ユニットは、さらに、端末の伝送ノード、搬送波状態又は上下リンクの柔軟な設定のサポート状況の変化を特定する場合、当該端末に対応する新しいＤＣＩ構成情報を当該端末に送信する。
【００４４】
端末がその上下リンク構成のＤＣＩメッセージにおける位置を特定しやすいようにするために、前記ＤＣＩ構成情報には、具体的に、端末に対応する上下リンク構成情報域インデックス値を含む。前記上下リンク構成情報域インデックス値は、所属する前記端末に関連する上下リンク構成情報のＤＣＩメッセージにおける位置を特定するためのものである。前記端末は、当該上下リンク構成情報域インデックス値に基づいて、前記ＤＣＩメッセージから自身の上下リンク構成を特定する。
【００４５】
さらに、前記ＤＣＩメッセージは、予め設定したＴＤＤ‐ＲＮＴＩによりＣＲＣビットのスクランブリングが行なわれる。前記ＤＣＩ構成情報には、端末に対応するＤＣＩメッセージのＴＤＤ‐ＲＮＴＩ情報をさらに含む。前記端末は、当該ＴＤＤ‐ＲＮＴＩ情報に基づいて前記ＤＣＩメッセージを解析する。
【００４６】
さらに、ＤＣＩメッセージに空き領域がある場合、端末が検出しやすいようにするために、前記ＤＣＩ構成情報には、前記ＤＣＩメッセージにおける有効情報域の長さ、又は、前記ＤＣＩメッセージにおける空き領域の長さをさらに含む。
【００４７】
前記１つの上下リンク構成情報域は、１つの搬送波及び／又は１つの伝送ノードに対応することが好ましい。
【００４８】
システム資源を効果的に利用するために、前記１つの上下リンク構成情報域は、長さが３ビットである。
【００４９】
本発明の実施例は、基地局が上下リンク構成情報をＤＣＩメッセージを通じて少なくとも１つの端末に送信する具体的な実施形態を提供する。前記送信ユニットは、具体的に、ＰＤＣＣＨ又はＥＰＤＣＣＨの共有検索空間で、上下リンク構成情報をＤＣＩメッセージを通じて少なくとも１つの端末に送信する。
【００５０】
本発明の実施例は、２種類の具体的な伝送方式を提供する。各成分搬送波で伝送されるＤＣＩメッセージにおいて、本成分搬送波の上下リンク構成情報を付帯する。又は、各端末のメインセルで送信されるＤＣＩメッセージにおいて、当該端末がアグリゲートする各成分搬送波の上下リンク構成情報を付帯する。
【００５１】
各端末のメインセルで送信されるＤＣＩメッセージにおいて、当該端末がアグリゲートする各成分搬送波の上下リンク構成情報を付帯する場合、前記送信ユニットは、具体的に、当該ＤＣＩメッセージを受信する各端末にサービスを提供する伝送ノード及び／又は搬送波の各上下リンク構成情報を取得し、取得した各上下リンク構成情報をＤＣＩメッセージを通じて各端末に送信する。
【００５２】
前記ＤＣＩメッセージに含まれる空きビットは、所定の固定値にセットされることが好ましい。
【００５３】
本発明の実施例は、受信ユニットと解析ユニットを含む端末をさらに提供する。受信ユニットは、基地局から送信されるＤＣＩメッセージを受信する。解析ユニットは、予め設定したＤＣＩ構成情報に基づいて、前記ＤＣＩメッセージを解析して前記ＤＣＩメッセージから自身の上下リンク構成を特定する。前記ＤＣＩメッセージには、少なくとも１つの上下リンク構成情報域が含まれており、前記ＤＣＩメッセージに含まれる上下リンク構成情報域のうちの少なくとも１つの各々が少なくとも１つの端末により解析され、前記上下リンク構成情報域が前記上下リンク構成情報を搬送するためのものである。
【００５４】
基地局が上下リンク構成情報をＤＣＩメッセージを通じて少なくとも１つの端末に送信するため、当該端末は、所定の構成に基づいて、当該ＤＣＩメッセージを解析して当該ＤＣＩメッセージの該当位置から自身の上下リンク構成を取得する。このように、基地局から端末へのＴＤＤの上下リンク構成情報の指示が実現される。
【００５５】
さらに、端末の伝送ノード、搬送波状態又は上下リンクの柔軟な設定のサポート状況に変化があった場合、当該端末に対応する新しいＤＣＩ構成情報を当該端末に基地局からリアルタイムに送信することを実現するために、前記受信ユニットは、さらに、基地局が端末の伝送ノード、搬送波状態又は上下リンクの柔軟な設定のサポート状況の変化を特定した場合に送信した当該端末に対応する新しいＤＣＩ構成情報を受信する。
【００５６】
端末がその上下リンク構成のＤＣＩメッセージにおける位置を特定しやすいようにするために、前記ＤＣＩ構成情報には、具体的に、端末に対応する上下リンク構成情報域インデックス値を含む。前記上下リンク構成情報域インデックス値は、所属する前記端末に関連する上下リンク構成情報のＤＣＩメッセージにおける位置を特定するためのものである。この場合、前記解析ユニットが、予め設定したＤＣＩ構成情報に基づいて、前記ＤＣＩメッセージから自身の上下リンク構成を特定することは、具体的、前記上下リンク構成情報域インデックス値に基づいて、前記ＤＣＩメッセージから自身の上下リンク構成を特定することを含む。
【００５７】
さらに、前記ＤＣＩメッセージは、予め設定したＴＤＤ‐ＲＮＴＩによりＣＲＣビットのスクランブリングが行なわれる。前記ＤＣＩ構成情報には、端末に対応するＤＣＩメッセージのＴＤＤ‐ＲＮＴＩ情報をさらに含む。この場合、前記解析ユニットが、予め設定したＤＣＩ構成情報に基づいて、前記ＤＣＩメッセージを解析することは、具体的に、前記ＴＤＤ‐ＲＮＴＩ情報に基づいて前記ＤＣＩメッセージを解析することを含む。
【００５８】
ＤＣＩメッセージに空き領域がある場合、端末が検出しやすいようにするために、前記ＤＣＩ構成情報には、前記ＤＣＩメッセージにおける有効情報域の長さ、又は、前記ＤＣＩメッセージにおける空き領域の長さをさらに含む。前記解析ユニットが、予め設定したＤＣＩ構成情報に基づいて、前記ＤＣＩメッセージを解析することは、具体的に、前記ＤＣＩメッセージにおける有効情報域の長さ、又は、前記ＤＣＩメッセージにおける空き領域の長さに基づいて、前記ＤＣＩメッセージに対して最大尤度検出を行うことを含む。
【００５９】
前記１つの上下リンク構成情報域は、１つの搬送波及び／又は１つの伝送ノードに対応することが好ましい。
【００６０】
システム資源を効果的に利用するために、前記１つの上下リンク構成情報域は、長さが３ビットである。
【００６１】
具体的に、前記受信ユニットは、基地局からＰＤＣＣＨ又はＥＰＤＣＣＨの共有検索空間で送信されるＤＣＩメッセージを受信する。
【００６２】
本発明の実施例は、２種類の具体的な伝送方式を提供する。各成分搬送波で伝送されるＤＣＩメッセージにおいて、本成分搬送波の上下リンク構成情報を付帯する。又は、各端末のメインセルで送信されるＤＣＩメッセージにおいて、当該端末がアグリゲートする各成分搬送波の上下リンク構成情報を付帯する。
【００６３】
前記ＤＣＩメッセージに含まれる空きビットは、所定の固定値にセットされることが好ましい。
【００６４】
本発明の実施例は、プロセッサとデータ送受信機を含む基地局をさらに提供する。
【００６５】
プロセッサは、上下リンク構成情報を特定するように設定され、上下リンク構成情報をＤＣＩメッセージを通じて少なくとも１つの端末に送信する。前記少なくとも１つの端末は、それぞれ予め設定したＤＣＩ構成情報に基づいて、前記ＤＣＩメッセージを解析して前記ＤＣＩメッセージから自身の上下リンク構成を特定する。ＤＣＩメッセージには、上下リンク構成情報を搬送するための上下リンク構成情報域が少なくとも１つ含まれており、前記ＤＣＩメッセージに含まれる上下リンク構成情報域のうちの少なくとも１つの各々が少なくとも１つの端末により解析される。
【００６６】
データ送受信機は、プロセッサによる制御でデータの送受信を行う。
【００６７】
本発明の実施例は、プロセッサとデータ送受信機を含む端末をさらに提供する。
【００６８】
プロセッサは、基地局から送信されるＤＣＩメッセージを受信するように設定される。ＤＣＩメッセージには、上下リンク構成情報を搬送するための上下リンク構成情報域が少なくとも１つ含まれており、前記ＤＣＩメッセージに含まれる上下リンク構成情報域のうちの少なくとも１つの各々が少なくとも１つの端末により解析される。プロセッサは、予め設定したＤＣＩ構成情報に基づいて、前記ＤＣＩメッセージを解析してＤＣＩメッセージから自身の上下リンク構成を特定する。
【００６９】
データ送受信機は、プロセッサによる制御でデータの送受信を行う。
【００７０】
当該基地局は、上下リンク構成情報をＤＣＩメッセージを通じて少なくとも１つの端末に送信する。当該端末は、所定の構成に基づいて、当該ＤＣＩメッセージを解析してＤＣＩメッセージの該当位置から自身の上下リンク構成を取得する。このように、基地局から端末へのＴＤＤの上下リンク構成情報の指示が実現される。
【発明の効果】
【００７１】
本発明の実施例は、上下リンク構成の指示方法、特定方法並びに基地局、端末を提供する。基地局は、上下リンク構成情報をＤＣＩメッセージを通じて少なくとも１つの端末に送信し、ＤＣＩメッセージに上下リンク構成情報を搬送するための上下リンク構成情報域を少なくとも１つ設定する。ＤＣＩメッセージにおける各上下リンク構成情報域のうちの少なくとも１つの各々が少なくとも１つの端末により解析される。ＤＣＩメッセージを受信した少なくとも１つの端末は、所定の構成に基づいて当該ＤＣＩメッセージを解析して当該ＤＣＩメッセージの該当位置から自身の上下リンク構成を取得する。このように、基地局から端末へのＴＤＤの上下リンク構成情報の指示が実現される。
【図面の簡単な説明】
【００７２】
【図１】従来技術におけるＬＴＥ  ＴＤＤシステムのフレーム構造の模式図である。
【図２】従来技術における連続的キャリアアグリゲーションの模式図である。
【図３】従来技術における非連続的キャリアアグリゲーションの模式図である。
【図４ａ】従来技術における同種ネットワークの基地局内協調する場面の模式図である。
【図４ｂ】従来技術における同種ネットワークの複数伝送ノードの協調場面の模式図である。
【図４ｃ】従来技術における異種ネットワークの複数伝送ノードの協調、且つ各伝送ノードの独立なセルＩＤの設定場面の模式図である。
【図４ｄ】従来技術における異種ネットワークの複数伝送ノードの協調、且つ各伝送ノードの同一セルＩＤの設定場面の模式図である。
【図５】本発明の実施例が提供する上下リンク構成の指示方法のフローチャートである。
【図６ａ】本発明の実施例が提供する、実施例１に対応する場面の模式図である。
【図６ｂ】本発明の実施例が提供する、実施例１に対応するＤＣＩメッセージの模式図である。
【図７ａ】本発明の実施例が提供する、実施例２に対応する場面の模式図である。
【図７ｂ】本発明の実施例が提供する、実施例２に対応するＤＣＩメッセージの模式図である。
【図７ｃ】本発明の実施例が提供する、実施例２に対応するＤＣＩメッセージの模式図である。
【図８ａ】本発明の実施例が提供する、実施例３に対応する場面の模式図である。
【図８ｂ】本発明の実施例が提供する、実施例３に対応するＤＣＩメッセージの模式図である。
【図９ａ】本発明の実施例が提供する、実施例４に対応する場面の模式図である。
【図９ｂ】本発明の実施例が提供する、実施例４に対応するＤＣＩメッセージの模式図である。
【図１０】本発明の実施例が提供する上下リンク構成の特定方法のフローチャートである。
【図１１】本発明の実施例が提供する基地局の模式図である。
【図１２】本発明の実施例が提供する端末の模式図である。
【発明を実施するための形態】
【００７３】
本発明の実施例は、上下リンク構成の指示方法、特定方法並びに基地局、端末を提供する。基地局は、上下リンク構成情報を、ＤＣＩメッセージを通じて少なくとも１つの端末に送信し、ＤＣＩメッセージに上下リンク構成情報を搬送するための上下リンク構成情報域を少なくとも１つ設定する。ＤＣＩメッセージにおける各上下リンク構成情報域のうちの少なくとも１つの各々は、少なくとも１つの端末により解析される。ＤＣＩメッセージを受信する少なくとも１つの端末は、所定の構成に基づいて当該ＤＣＩメッセージを解析し、当該ＤＣＩメッセージの該当位置から自身の上下リンク構成を取得する。このように、基地局から端末へのＴＤＤの上下リンク構成情報の指示が実現される。
【００７４】
図５に示すように、本発明の実施例が提供する上下リンク構成の指示方法は、以下のステップを含む。
【００７５】
ステップＳ５０１において、基地局は、上下リンク構成情報を特定する。
【００７６】
ステップＳ５０２において、基地局は、上下リンク構成情報をＤＣＩメッセージを通じて少なくとも１つの端末に送信し、当該少なくとも１つの端末の各々は、予め設定したＤＣＩ構成情報に基づいて、ＤＣＩメッセージを解析し、ＤＣＩメッセージから自身の上下リンク構成を特定する。前記ＤＣＩメッセージには、上下リンク構成情報を搬送するための上下リンク構成情報域が少なくとも１つ含まれている。しかも、ＤＣＩメッセージに含まれる上下リンク構成情報域のうちの少なくとも１つの各々は、少なくとも１つの端末により解析される。
【００７７】
基地局は、上下リンク構成情報を、ＤＣＩメッセージを通じて少なくとも１つの端末に送信する。端末は、当該ＤＣＩメッセージを解析してから、所定の構成に基づいて、ＤＣＩメッセージから自身の上下リンク構成を取得することができる。よって、基地局から端末へのＴＤＤの上下リンク構成情報の指示が実現される。
【００７８】
端末は、ＤＣＩメッセージにおける該当の上下リンク構成情報域から自身の上下リンク構成を特定する。
【００７９】
好適的に、端末は、予め設定したＤＣＩ構成情報に基づいて、前記端末に関連する上下リンク構成情報のＤＣＩメッセージにおける位置を特定することができ、ＤＣＩメッセージを解析してＤＣＩメッセージにおける該当位置から自身の上下リンク構成を特定し、即ち前記端末に関連する上下リンク構成情報のＤＣＩメッセージに占用する上下リンク構成情報域を特定する。もちろん、端末は、約定に基づいて、前記端末に関連する上下リンク構成情報のＤＣＩメッセージにおける位置を特定してもよい。
【００８０】
本発明の実施例において、ＤＣＩメッセージに含まれる各上下リンク構成情報域のうちの少なくとも１つの各々は、少なくとも１つの端末により解析される。即ち、ＤＣＩメッセージには、１つ又は複数の上下リンク構成情報域を含んでもよく、これらの１つ又は複数の上下リンク構成情報域のうちの少なくとも１つの上下リンク構成情報域の各々が少なくとも１つの端末により解析される。例えば、ＤＣＩメッセージに５つの上下リンク構成情報域が含まれることをとし、ある回のＤＣＩメッセージの送信後に、当該ＤＣＩメッセージにおける３つの上下リンク構成情報域がそれぞれ１、３、４個の端末により解析され、残り２つの上下リンク構成情報域を解析する端末がない可能性がある。
【００８１】
システムにおいて、端末毎に１つのＤＣＩメッセージが設定されてもよいが、システムの資源節約のために、１つのＤＣＩメッセージにおいて複数の上下リンク構成情報域を設定することができる。即ち、ＤＣＩメッセージには、少なくとも２つの上下リンク構成情報域が含まれる。複数の端末の各々は、当該ＤＣＩメッセージを解析し、該当の上下リンク構成情報域から、自身に対応する上下リンク構成情報を取得することができる。さらに資源節約のために、同一の上下リンク構成を有する端末は、同一の上下リンク構成情報域を解析して自身に対応する上下リンク構成情報を取得してもよい。
【００８２】
上述のように、１つのＤＣＩメッセージには、少なくとも２つの上下リンク構成情報域が含まれる。そのうちの少なくとも１つの上下リンク構成情報域は、少なくとも１つの端末により解析できる。さらに、そのうちの少なくとも１つの上下リンク構成情報域は、少なくとも２つの端末により解析できる。又は、１つのＤＣＩメッセージには、少なくとも１つの、２つの端末により解析ができる上下リンク構成情報域のみが含まれてもよい。
【００８３】
当該方法は、基地局により実施される。基地局は、ベーストランシーバ基地局ＢＴＳ（Ｂａｓｅ  Ｔｒａｎｓｃｅｉｖｅｒ  Ｓｔａｔｉｏｎ）、ノードＢ（Ｎｏｄｅ  Ｂ）、進化のノードＢ（ｅＮｏｄｅ  Ｂ又はｅＮＢ）、ホーム基地局（Ｈｏｍｅ  Ｎｏｄｅ  Ｂ又はＨＮＢ）、進化のホーム基地局（Ｈｏｍｅ  ｅＮｏｄｅ  Ｂ又はＨｅＮＢ）、中継ノード（Ｒｅｌａｙ  Ｎｏｄｅ又はＲＮ）、無線アクセスポイント（ＡＰ）、無線ルータ又は類似装置などである。基地局は、シングルアンテナ又はマルチアンテナを採用して特定エリアの無線信号カバーを実現し、これらの特定エリアがセルと呼ばれる。セルという概念は、通常に、この特定カバー領域内の端末にサービスを提供し、基地局ソフトウェアとハードウェアサブシステムを含んだ論理実体を指す。１つの基地局が１つのセルに関連付けられてもよい、または、セルがさらにセクターに分割されてもよい。この場合、１つの基地局は、複数のセクターに関連付けられてもよい。
【００８４】
異なる構成により、各端末がＤＣＩメッセージの異なる位置から取得する内容は、異なる可能性がある。そのため、基地局は、各端末のＤＣＩ構成情報を端末に送信する必要がある。端末は、ＤＣＩメッセージを受信した後に、当該予め設定したＤＣＩ構成情報に基づいて、前記端末に関連する上下リンク構成情報のＤＣＩメッセージにおける位置を特定し、ＤＣＩメッセージを解析してＤＣＩメッセージの該当位置から自身の上下リンク構成を特定できる。
【００８５】
端末の伝送ノード、搬送波状態又は上下リンクの柔軟な構成のサポート状況に変化があった場合、端末のＤＣＩ構成情報も対応して変化する可能性がある。この場合、基地局は、当該端末に対応する新しいＤＣＩ構成情報を当該端末に送信する必要がある。
【００８６】
従って、本発明の実施例が提供する上下リンク構成の指示方法は、さらに、以下のステップを含む。基地局は、端末の伝送ノード、搬送波状態又は上下リンクの柔軟構成のサポート状況の変化を特定すると、当該端末に対応する新しいＤＣＩ構成情報を当該端末に送信する。
【００８７】
ＤＣＩ構成情報には、具体的に、端末に対応する上下リンク構成情報域インデックス値を含む。上下リンク構成情報域インデックス値は、所属する前記端末に関連する上下リンク構成情報のＤＣＩメッセージにおける位置を特定するためのものである。前記端末は、当該上下リンク構成情報域インデックス値に基づいて、前記ＤＣＩメッセージから自身の上下リンク構成を特定する。
【００８８】
端末は、当該上下リンク構成情報域インデックス値を基に、ＤＣＩメッセージの該当位置において、所属する前記端末に関連する上下リンク構成情報のＤＣＩメッセージに占用する上下リンク構成情報域を特定し、自身の上下リンク構成情報を見つけることができる。
【００８９】
さらに、ＤＣＩメッセージに対して、予め設定した、又は、予め対応端末と約束した時分割複信‐無線ネットワーク仮識別ＴＤＤ‐ＲＮＴＩ（Ｔｉｍｅ  Ｄｉｖｉｓｉｏｎ  Ｄｕｐｌｅｘ  Ｒａｄｉｏ  Ｎｅｔｗｏｒｋ  Ｔｅｍｐｏｒａｒｙ  Ｉｄｅｎｔｉｆｉｅｒ）によりＣＲＣビットのスクランブリングが行なわれる。この場合、システムにおいて、少なくとも１つのＴＤＤ‐ＲＮＴＩが存在する。
【００９０】
ＤＣＩ構成情報には、端末に対応するＤＣＩメッセージのＴＤＤ‐ＲＮＴＩ情報をさらに含む。前記端末は、当該ＴＤＤ‐ＲＮＴＩ情報に基づいて前記ＤＣＩメッセージを解析する。
【００９１】
システムに一種のＤＣＩメッセージしかない場合、基地局は、ＤＣＩ構成情報において、端末に対応するＤＣＩメッセージのＴＤＤ‐ＲＮＴＩ情報を通知する必要がなく、直接ハイレイヤのシグナリング又はプロトコルを介して、端末と当該ＴＤＤ‐ＲＮＴＩ情報を約束すればよい。システムに多種類のＤＣＩメッセージが存在する場合、基地局は、ＤＣＩ構成情報において、当該端末に対応するＤＣＩメッセージのＴＤＤ‐ＲＮＴＩ情報を設定して、端末がそれに対応するＤＣＩメッセージを解析しやすいようにする。
【００９２】
さらに、ＤＣＩメッセージに空き領域がある場合、ＤＣＩ構成情報には、ＤＣＩメッセージにおける有効情報域の長さ、又は、ＤＣＩメッセージにおける空き領域の長さをさらに含む。
【００９３】
例えば、基地局がＤＣＩメッセージにおける有効情報域の長さを端末に通知すると、端末は、ＤＣＩ全体の長さから有効情報域の長さを減じて無効情報域の長さを取得することができる。無効情報域の長さは、ＤＣＩメッセージにおける空き領域であり、即ち、ＤＣＩメッセージの中の、いずれの上下リンク構成情報の指示に用いられないビットである。ネットワークでは、無効情報域におけるビットを特定値にセットし、例えば全て０又は全て１にセットする。このように、端末は、有効ビットの長さと無効ビットの先験的情報に基づいて、当該ＤＣＩに対して最大尤度検出を行って検出効率を高める。
【００９４】
実際状況に応じて、ＤＣＩ構成情報において、端末に対応する上下リンク構成情報域インデックス値、端末に対応するＤＣＩメッセージのＴＤＤ‐ＲＮＴＩ情報、ＤＣＩメッセージにおける有効情報域の長さの三者のうちのひとつ又は任意の組み合わせを含んでもよく、これら三者の情報以外の情報を含んでもよい。
【００９５】
システムに１つの伝送ノードしかない場合、各上下リンク構成情報域は、１つの搬送波に対応できる。システムに１つの搬送波しかない場合、各上下リンク構成情報域は、１つのノードに対応できる。システムに複数の伝送ノードを有し且つ伝送ノードに複数の搬送波を有する場合、各上下リンク構成情報域は、１つの搬送波と１つの伝送ノードの組み合わせに対応できる。
【００９６】
さらに、上下リンク構成の内容に応じて、上下リンク構成情報域の長さを柔軟に設定することができる。システム資源を効果的に利用するために、当該長さは、全ての上下リンク構成の内容を搬送できるものであることが好適である。例えば、各上下リンク構成情報域の長さは、３ビットである。
【００９７】
本発明の実施例におけるＤＣＩメッセージの長さは、表２に示す任意のＤＣＩメッセージの長さと同一であってもよく、例えば、ＤＣＩ  ｆｏｒｍａｔ  ３／３Ａと長さが同一であり、又はＤＣＩ  ｆｏｒｍａｔ  １Ｃと長さが同一である。
【００９８】
具体的に、ステップＳ５０２において、基地局が上下リンク構成情報をＤＣＩメッセージを通じて少なくとも１つの端末に送信することは、具体的に以下を含む。基地局は、ＰＤＣＣＨ又はＥＰＤＣＣＨの共有検索空間で、上下リンク構成情報をＤＣＩメッセージを通じて少なくとも１つの端末に送信する。
【００９９】
さらに、実際状況に応じて、ステップＳ５０２において上下リンク構成情報がＤＣＩメッセージを通じて送信される場合、以下２種類の搬送方式を採用することができる。即ち、各成分搬送波で伝送されるＤＣＩメッセージにおいて、本成分搬送波上の上下リンク構成情報を付帯し、又は、各端末のメインセルで送信されるＤＣＩメッセージにおいて、当該端末がアグリゲートする各成分搬送波の上下リンク構成情報を付帯する。
【０１００】
各端末のメインセルで送信されるＤＣＩメッセージにおいて、当該端末がアグリゲートする各成分搬送波の上下リンク構成情報を付帯する場合、基地局は、当該端末にサービスを提供する伝送ノード及び／又は搬送波の上下リンク構成情報を特定し、これら上下リンク構成情報を合わせて端末に送信する必要がある。この場合、前記基地局が上下リンク構成情報をＤＣＩメッセージを通じて少なくとも１つの端末に送信することは、具体的に以下を含む。基地局は、当該ＤＣＩメッセージを受信する各端末にサービスを提供する伝送ノード及び／又は搬送波の各上下リンク構成情報を取得し、取得した各上下リンク構成情報をＤＣＩメッセージを通じて各端末に送信する。
【０１０１】
具体的に実現する際に、端末によるモニタリングする必要なＴＤＤ‐ＲＮＴＩは、ハイレイヤのシグナリング又はプロトコルにより約定される。又は、システムに複数のＴＤＤ‐ＲＮＴＩが存在する場合、基地局は、各端末によるモニタリングする必要なＴＤＤ‐ＲＮＴＩを端末に通知する。それぞれの端末は、同一又は異なるＴＤＤ‐ＲＮＴＩを用いてＰＤＣＣＨの復号をし、上記ＤＣＩメッセージを取得できる。
【０１０２】
ＤＣＩメッセージに含まれる空きビットは、予め約定される固定値にセットされる。よって、端末は、予め約定された固定値及び空き領域の長さに基づいてＤＣＩメッセージに対して最大尤度検出を行い、検出効率を高めることができる。
【０１０３】
以下、具体的な実施例を通して、上記の上下リンク構成の設定方法について詳細に説明する。各実施例において、端末は、ユーザとも呼ばれる。
【０１０４】
実施例１
図６ａに示すように、ネットワークに１つの成分搬送波しかなく、且つ各セルに１つの伝送ノードしかなく、又は、複数の伝送ノードが存在するもののＴＤＤのサブフレーム設定が同一である。図６ａにおける異なる充填模様は、異なる上下リンク構成の有効範囲を示す。
【０１０５】
当該場面では、図６ｂに示すように、上下リンク構成を指示するＤＣＩメッセージを１つ設定すればよく、且つ当該メッセージに上下リンク構成情報が１つしか含まれない。端末は、プロトコルの約定又はネットワークの通知に基づいて、ＤＣＩメッセージの復号に必要とするＴＤＤ‐ＲＮＴＩを取得してＤＣＩメッセージを復号し、ネットワークの通知に基づいて、上下リンク構成情報域インデックス値（１）を特定して上下リンク構成を解析する。さらに改良として、端末は、ネットワークの通知に基づいて、ＤＣＩメッセージにおける有効ビットと無効ビットの数を取得してもよい。端末は、当該メッセージに基づいて、最大尤度検出を採用し、検出効率を高める。
【０１０６】
実施例２
図７ａに示すように、ネットワークに複数の搬送波が配置され、且つ各セルに１つの伝送ノードしかなく、又は、複数の伝送ノードが存在するもののＴＤＤのサブフレームの設定が同一である。図７ａにおける異なる充填模様は、異なる上下リンク構成の有効範囲を示す。
【０１０７】
当該ネットワーク配置場面ではＮ個の搬送波が含まれる場合、ＵＥがキャリアアグリゲーション方式で動作し、且つＵＥがＰｃｅｌｌのＣＳＳしか読み取れないとき、基地局は、ＵＥに対して、配置されたＰｃｅｌｌに対応する成分搬送波のＣＳＳにおいて１つ又は複数のＤＣＩメッセージを送信する必要がある。ここで、各ＤＣＩメッセージには、上下リンク構成を指示する上下リンク構成情報域が１つ又は複数含まれ、それぞれ各成分搬送波上のＵＬ‐ＤＬ構成情報を指示する。ネットワークは、１つの成分搬送波において複数の上記ＤＣＩメッセージを送信する場合、さらにスクランブリング用のＴＤＤ‐ＲＮＴＩを端末に知らせる必要がある。図７ｂに示すように、ネットワークにＮ＋１個の成分搬送波が存在し、ユーザ１は、ＣＣ  １とＣＣ  Ｎをアグリゲートし、ＣＣ  １をＰｃｅｌｌとし、ユーザ２は、ＣＣ  ２とＣＣ  Ｎをアグリゲートし、ＣＣ  ２をＰｃｅｌｌとし、ユーザ３は、ＣＣ  Ｎ＋１のみで動作する。しかも、上記１つのＤＣＩメッセージは、最多で３＊Ｎビットの情報を搬送できる。
【０１０８】
基地局は、当該ＤＣＩメッセージのうち、ＣＣ  １とＣＣ  Ｎに対応する上下リンク構成情報域インデックス値をユーザ１に知らせ、当該ＤＣＩ  ｆｏｒｍａｔに使用されるＣＲＣビットスクランブリング用ＴＤＤ‐ＲＮＴＩ  １をユーザ１に知らせ、当該ＤＣＩメッセージのうち、ＣＣ  ２とＣＣ  Ｎに対応する上下リンク構成情報域インデックス値をユーザ２に知らせ、当該ＤＣＩ  ｆｏｒｍａｔに使用されるＣＲＣビットスクランブリング用ＴＤＤ‐ＲＮＴＩ１をユーザ２に知らせ、当該ＤＣＩメッセージのうち、ＣＣ  Ｎ＋１に対応する上下リンク構成情報域インデックス値をユーザ３に知らせ、当該ＤＣＩ  ｆｏｒｍａｔに使用されるＣＲＣビットスクランブリング用ＴＤＤ‐ＲＮＴＩ  ２をユーザ３に知らせる。上下リンク構成の指示を行う際に、基地局は、ＣＣ  １のＣＳＳで、図７ｂに示す１ｓｔ  ＤＣＩ  ｆｏｒｍａｔ（１つ目のＤＣＩメッセージ）を送信し、ＣＣ  ２のＣＳＳでも１ｓｔ  ＤＣＩ  ｆｏｒｍａｔを送信し、ＣＣ  Ｎ＋１のＣＳＳで２ｎｄ  ＤＣＩ  ｆｏｒｍａｔを送信する。ユーザは、ＤＣＩメッセージを受信すると、ＤＣＩメッセージから、自身に必要とする上下リンク構成情報を取得することができる。
【０１０９】
各ＣＣがＰｃｅｌｌとして上下リンク構成情報付きのＤＣＩメッセージをＣＣＳで送信する場合、各ＣＣで完全同一の情報フォーマットを採用することができる。例えば、図７ｂに示すように、全てのＣＣ上の上下リンク構成を順に送信する。各ＣＣで独立の情報フォーマットを採用してもよい。図７ｃに示すように、上下リンク構成ＤＣＩメッセージにおいて、当該ＣＣをＰｃｅｌｌとするユーザ設定のＣＣ上の上下リンク構成のみを指示する。例えば、上記場面では、ＣＣ  １は、ユーザ１のみのＰｃｅｌｌであり、ＣＣ  １では、上下リンク構成を含むＤＣＩ  ｆｏｒｍａｔが１つしか送信されず、且つ当該ＤＣＩ  ｆｏｒｍａｔにおいて、ＣＣ  １とＣＣ  Ｎの上下リンク構成情報のみが付帯される。ＣＣ  ２は、ユーザ２のみのＰｃｅｌｌであり、ＣＣ  ２では、上下リンク構成を含むＤＣＩ  ｆｏｒｍａｔが１つしか送信されず、且つ当該ＤＣＩ  ｆｏｒｍａｔにおいて、ＣＣ  ２とＣＣ  Ｎの上下リンク構成情報のみが付帯される。ＣＣ  Ｎ＋１は、ユーザ３のみのＰｃｅｌｌであり、且つユーザ３がＣＣ  Ｎ＋１のみで動作する。ＣＣ  Ｎ＋１では、上下リンク構成を含むＤＣＩ  ｆｏｒｍａｔが１つしか送信されず、且つ当該ＤＣＩ  ｆｏｒｍａｔにおいて、ＣＣ  Ｎ＋１の上下リンク構成情報のみが付帯される。
【０１１０】
なお、ここで複数のＴＤＤ‐ＲＮＴＩが単に例に過ぎず、システムに１つのＴＤＤ‐ＲＮＴＩしか存在しなくてもよい。即ち、ネットワークが、各搬送波において１つのＤＣＩ  ｆｏｒｍａｔしか送信されない。この場合、使用されるＴＤＤ‐ＲＮＴＩは、ネットワークからの通知を必要とせず、プロトコルにより約定すればよい。しかし、この場合、上下リンク構成を独立設定する成分搬送波の指示可能な数は、ＤＣＩ  ｆｏｒｍａｔの全体の長さに制限される。例えば、ＤＣＩメッセージの長さが１５ｂｉｔｓであり、各上下リンク構成情報域が３ｂｉｔｓを占用すると、上下リンク構成をそれぞれ独自設定する成分搬送波を最多で５個指示できる。
【０１１１】
さらに、ハイレイヤのシグナリングは、有効ビットをユーザに送信してもよい。ユーザは、当該情報に基づいて、最大尤度検出により検出効率を高める。
【０１１２】
実施例３
図８ａに示すように、ネットワークに１つの搬送波しか使用されず、且つ各セルに複数の伝送ノードが存在し、各伝送ノードにおいて上下リンク構成が独立に設定される。図８ａにおける異なる充填模様は、異なる上下リンク構成の有効範囲を示す。
【０１１３】
当該場面では、基地局は、ＣＳＳでひとつ又は複数のＤＣＩメッセージを送信する必要があり、各ＤＣＩメッセージに複数の上下リンク構成情報域が含まれ、各上下リンク構成情報域が１つの伝送ノードに対応する。図８ｂに示すように、ユーザ１は、伝送ノード１によりサービスを提供される。基地局は、予めＴＤＤ‐ＲＮＴＩ  １、伝送ノード１に対応する上下リンク構成情報域インデックス値１をユーザ１に通知する。ユーザ１は、これに基づいてＤＣＩメッセージを検出し、伝送ノード１の上下リンク構成を取得する。ユーザ２は、伝送ノードＮによりサービスを提供される。基地局は、予めＴＤＤ‐ＲＮＴＩ  １、上下リンク構成情報域インデックス値Ｎをユーザ２に設定する。ユーザ２は、これに基づいてＤＣＩメッセージを検出し、伝送ノードＮの上下リンク構成を取得する。ユーザ３は、伝送ノードＮ＋１によりサービスを提供される。基地局は、ＴＤＤ‐ＲＮＴ２、伝送ノードＮ＋１に対応する上下リンク構成情報域インデックス値１をユーザ３に通知する。ユーザ３は、これに基づいてＤＣＩメッセージを検出し、伝送ノードＮ＋１の上下リンク構成を取得する。
【０１１４】
なお、ここで複数のＴＤＤ‐ＲＮＴＩが単に例に過ぎず、システムに１つのＴＤＤ‐ＲＮＴＩしか存在しなくてもよい。即ち、ネットワークが、各搬送波において１つのＤＣＩ  ｆｏｒｍａｔしか送信されない。この場合、使用されるＴＤＤ‐ＲＮＴＩは、ネットワークからの通知を必要とせず、プロトコルにより約定すればよい。しかし、この場合、上下リンク構成を独立設定する伝送ノードの指示可能な数は、ＤＣＩ  ｆｏｒｍａｔの全体の長さに制限される。例えば、ＤＣＩメッセージの長さが１５ｂｉｔｓであり、各上下リンク構成情報域が３ｂｉｔｓを占用すると、上下リンク構成をそれぞれ独自設定する伝送ノードを最多で５個指示する。
【０１１５】
さらに、ハイレイヤのシグナリングは、有効ビットをユーザに送信してもよい。ユーザは、当該情報に基づいて、最大尤度検出により検出効率を高める。
【０１１６】
実施例４
図９ａに示すように、ネットワークに複数の搬送波が使用され、しかも各搬送波に複数の伝送ノードが存在し、且つ各伝送ノードにおいて各々の上下リンク構成が独立に設定できる。図９ａにおける異なる充填模様は、異なる上下リンク構成の有効範囲を示す。
【０１１７】
当該場面では、基地局から送信されるＤＣＩメッセージには、上下リンク構成を指示する上下リンク構成情報域を複数含み、各上下リンク構成情報域が１つの成分搬送波及び１つの伝送ノードの組み合わせに対応する。基地局は、１つの成分搬送波のＣＳＳで当該ＤＣＩメッセージを送信することにより、当該ＣＣをＰｃｅｌｌとする端末は、自身の各成分搬送波上およびサービスを受ける伝送ノードにおける上下リンク構成を取得する。
【０１１８】
図９ｂに示すように、例えば、ユーザ１は、伝送ノード１からサービスを提供され且つ搬送波１と搬送波２をアグリゲートし、ＣＣ  １をＰｃｅｌｌとする。基地局は、ＣＣ  １のＣＣＳでＤＣＩメッセージを送信し、予めＤＣＩメッセージに対応するＴＤＤ‐ＲＮＴＩ  １、伝送ノード１とＣＣ  １に対応する上下リンク構成情報域インデックス値、伝送ノード１とＣＣ  ２に対応する上下リンク構成情報域インデックス値をユーザ１に知らせる。ユーザ１は、Ｐｃｅｌｌ即ちＣＣ  １でＣＳＳを検出して、各搬送波上の伝送ノード１に対応する上下リンク構成情報を取得する。ユーザ２は、伝送ノード１からサービスを提供され且つ搬送波Ｎ＋１のみで動作する。基地局は、ＣＣ  １のＣＳＳでＤＣＩメッセージを送信し、予めＤＣＩメッセージに対応するＴＤＤ‐ＲＮＴＩ  ２、伝送ノード１とＣＣ  Ｎ＋１に対応する上下リンク構成情報域インデックス値をユーザ２に知らせる。ユーザ２は、ＣＣ  １でＣＳＳを検出して、伝送ノード１に対応する上下リンク構成情報を取得する。ユーザ３は、伝送ノードＸからサービスを提供され且つ搬送波１のみで動作する。基地局は、ＣＣ  １のＣＳＳでＤＣＩメッセージを送信し、予めＤＣＩメッセージに対応するＴＤＤ‐ＲＮＴＩ  １、伝送ノードＸとＣＣ  １に対応する上下リンク構成情報域インデックス値をユーザ３に知らせる。ユーザ３は、ＣＣ  １でＣＳＳを検出して、伝送ノードＸに対応する上下リンク構成情報を取得する。
【０１１９】
なお、ここで複数のＴＤＤ‐ＲＮＴＩが単に例に過ぎず、システムに１つのＴＤＤ‐ＲＮＴＩしか存在しなくてもよい。即ち、ネットワークが、各搬送波において１つのＤＣＩ  ｆｏｒｍａｔしか送信されない。この場合、使用されるＴＤＤ‐ＲＮＴＩは、ネットワークからの通知を必要とせず、プロトコルにより約定すればよい。しかし、この場合、ＵＬ‐ＤＬサブフレーム構成を独立設定する成分搬送波ＣＣと伝送ノードの指示可能な数は、ＤＣＩ  ｆｏｒｍａｔの全体の長さに制限される。例えば、ＤＣＩメッセージの長さが２４ｂｉｔｓであり、各上下リンク構成情報域が３ｂｉｔｓを占用すると、２つの独立なＵＬ‐ＤＬ設定の成分搬送波と各搬送波に４つの独立なＵＬ‐ＤＬ設定の伝送ノードをサポートし、又は、４つの独立なＵＬ‐ＤＬ設定の成分搬送波と各搬送波に２つの独立なＵＬ‐ＤＬ設定の伝送ノードをサポートする。
【０１２０】
さらに、ハイレイヤのシグナリングは、有効ビットをユーザに送信してもよい。ユーザは、当該情報に基づいて、最大尤度検出により検出効率を高める。
【０１２１】
上記実施例において、改良案として、各ユーザがアグリゲートする成分搬送波及びサービスを受ける伝送ノードに基づいて、複数のユーザが同一の上下リンク構成情報域を読み取るように設定してもよい。例えば、同一の成分搬送波及び／又は伝送ノードを共用するユーザには、ネットワークにより同一のＴＤＤ‐ＲＮＴＩ及び／又は上下リンク構成情報域インデックス値が設定される。
【０１２２】
本発明の実施例は、対応して、上下リンク構成の特定方法を提供する。図１０に示すように、当該方法は、以下のステップを含む。
【０１２３】
ステップＳ１００１において、端末は、基地局から送信されるＤＣＩメッセージを受信する。ＤＣＩメッセージには、上下リンク構成情報を搬送するための上下リンク構成情報域が少なくとも１つ含まれており、ＤＣＩメッセージに含まれる上下リンク構成情報域のうちの少なくとも１つの各々が少なくとも１つの端末により解析される。
【０１２４】
ステップＳ１００２において、端末は、予め設定したＤＣＩ構成情報に基づいて、ＤＣＩメッセージを解析し、ＤＣＩメッセージから自身の上下リンク構成を特定する。
【０１２５】
当該方法は、端末により実施される。特定の実施形態において、端末は、携帯電話、タブレットパソコン、ノートパソコン、データカード、ネットブック、スマートウォッチ、無線ブロードバンドホットスポットルータ（ＭｉＦｉ）、及び、無線通信機能付きのデジタルカメラ、インテリジェントアンメーター、家電などの製品である。端末は、一種又は複数種類の無線アクセス技術を採用して、異なる基地局と無線通信を行うことができる。
【０１２６】
端末は、ＤＣＩメッセージにおける該当する上下リンク構成情報域から自身の上下リンク構成を特定する。
【０１２７】
好適的に、端末は、予め設定したＤＣＩ構成情報に基づいて、前記端末に関連する上下リンク構成情報のＤＣＩメッセージにおける位置を特定し、ＤＣＩメッセージを解析してＤＣＩメッセージにおける該当する位置から自身の上下リンク構成を特定し、即ち前記端末に関連する上下リンク構成情報のＤＣＩメッセージにおける占用する上下リンク構成情報域を特定することができる。もちろん、端末は、約定に基づいて、前記端末に関連する上下リンク構成情報のＤＣＩメッセージにおける位置を特定してもいい。
【０１２８】
端末の伝送ノード、搬送波状態又は上下リンク柔軟な設定をサポートする状況に変化があった場合、端末のＤＣＩ構成情報も対応して変化する可能性がある。この場合、基地局は、当該端末に対応する新しいＤＣＩ構成情報を当該端末に送信する必要がある。従って、当該方法は、さらに以下のものを含む。端末は、基地局が端末の伝送ノード、搬送波状態又は上下リンク柔軟な設定をサポートする状況の変化を特定した場合に送信する当該端末に対応する新しいＤＣＩ構成情報を受信する。
【０１２９】
ＤＣＩ構成情報には、具体的に、端末に対応する上下リンク構成情報域インデックス値を含む。上下リンク構成情報域インデックス値は、前記端末に関連する上下リンク構成情報のＤＣＩメッセージにおける位置を特定するためのものであり、即ち、前記端末に関連する上下リンク構成情報のＤＣＩメッセージにおける占用する上下リンク構成情報域を特定する。
【０１３０】
ステップＳ１００２において、端末が、予め設定したＤＣＩ構成情報に基づいて、ＤＣＩメッセージから自身の上下リンク構成を特定することは、具体的に、以下を含む。端末は、前記上下リンク構成情報域インデックス値に基づいて、ＤＣＩメッセージから自身の上下リンク構成を特定する。
【０１３１】
さらに、ＤＣＩメッセージは、予め設定したＴＤＤ‐ＲＮＴＩによりＣＲＣビットのスクランブリングが行なわれる。ＤＣＩ構成情報には、端末に対応するＤＣＩメッセージのＴＤＤ‐ＲＮＴＩ情報をさらに含む。前記端末が、予め設定したＤＣＩ構成情報に基づいて前記ＤＣＩメッセージを解析することは、具体的に、以下を含む。端末は、前記ＴＤＤ‐ＲＮＴＩ情報に基づいて前記ＤＣＩメッセージを解析する。
【０１３２】
好適的に、ＤＣＩ構成情報には、ＤＣＩメッセージにおける有効情報域の長さ、又は、ＤＣＩメッセージにおける空き領域の長さを含む。
【０１３３】
この場合、端末が、予め設定したＤＣＩ構成情報に基づいてＤＣＩメッセージを解析することは、具体的に、以下を含む。端末は、ＤＣＩメッセージにおける有効情報域の長さ、又は、ＤＣＩメッセージにおける空き領域の長さに基づいて、ＤＣＩメッセージに対して最大尤度検出を行う。
【０１３４】
１つの上下リンク構成情報域は、１つの搬送波及び／又は１つの伝送ノードに対応する。
【０１３５】
システム資源節約のために、１つの上下リンク構成情報域は、長さが３ビットである。
【０１３６】
具体的に、端末が、基地局から送信されるＤＣＩメッセージを受信することは、具体的に以下を含む。端末は、基地局からＰＤＣＣＨ又はＥＰＤＣＣＨの共有検索空間で送信されるＤＣＩメッセージを受信する。
【０１３７】
実際状況に応じて、以下２種類の伝送方式を採用することができる。各成分搬送波で伝送されるＤＣＩメッセージにおいて、本成分搬送波の上下リンク構成情報を付帯する。又は、各端末のメインセルで送信されるＤＣＩメッセージにおいて、当該端末がアグリゲートする各成分搬送波の上下リンク構成情報を付帯する。
【０１３８】
さらに、ＤＣＩメッセージに含まれる空きビットは、予め約定される固定値にセットされる。
【０１３９】
本発明の実施例は、基地局をさらに提供する。図１１に示すように、当該基地局は、特定ユニット１１０１と、送信ユニット１１０２とを含む。
【０１４０】
特定ユニット１１０１は、上下リンク構成情報を特定する。
【０１４１】
送信ユニット１１０２は、上下リンク構成情報をＤＣＩメッセージを通じて少なくとも１つの端末に送信する。端末は、予め設定したＤＣＩ構成情報に基づいて、ＤＣＩメッセージを解析してＤＣＩメッセージから自身の上下リンク構成を特定する。ＤＣＩメッセージには、上下リンク構成情報を搬送するための上下リンク構成情報域が少なくとも１つ含まれており、ＤＣＩメッセージに含まれる上下リンク構成情報域のうちの少なくとも１つの各々が少なくとも１つの端末により解析される。
【０１４２】
送信ユニット１１０２は、さらに、端末の伝送ノード、搬送波状態又は上下リンク柔軟設定をサポートする状況の変化を特定した場合、当該端末に対応する新しいＤＣＩ構成情報を当該端末に送信する。
【０１４３】
ＤＣＩ構成情報には、具体的に、端末に対応する上下リンク構成情報域インデックス値を含む。上下リンク構成情報域インデックス値は、前記端末に関連する上下リンク構成情報のＤＣＩメッセージにおける位置を特定するためのものである。前記端末は、当該上下リンク構成情報域インデックス値に基づいて、前記ＤＣＩメッセージから自身の上下リンク構成を特定する。
【０１４４】
前記ＤＣＩメッセージは、予め設定した時分割複信‐無線ネットワーク仮識別ＴＤＤ‐ＲＮＴＩにより巡回冗長検査ＣＲＣビットのスクランブリングが行なわれる。ＤＣＩ構成情報には、端末に対応するＤＣＩメッセージのＴＤＤ‐ＲＮＴＩ情報をさらに含む。前記端末は、当該ＴＤＤ‐ＲＮＴＩ情報に基づいて前記ＤＣＩメッセージを解析する。
【０１４５】
ＤＣＩ構成情報には、ＤＣＩメッセージにおける有効情報域の長さ、又は、ＤＣＩメッセージにおける空き領域の長さを含む。
【０１４６】
１つの上下リンク構成情報域は、１つの搬送波及び／又は１つの伝送ノードに対応する。
【０１４７】
１つの上下リンク構成情報域は、長さが３ビットである。
【０１４８】
送信ユニット１１０２は、具体的に、ＰＤＣＣＨ又はＥＰＤＣＣＨの共有検索空間で、上下リンク構成情報をＤＣＩメッセージを通じて少なくとも１つの端末に送信する。
【０１４９】
実際状況に基づいて、以下２種類の伝送方式を採用することができる。各成分搬送波で伝送されるＤＣＩメッセージにおいて、本成分搬送波における上下リンク構成情報を付帯する。又は、各端末のメインセルで送信されるＤＣＩメッセージにおいて、当該端末がアグリゲートする各成分搬送波の上下リンク構成情報を付帯する。
【０１５０】
各端末のメインセルで送信されるＤＣＩメッセージにおいて、当該端末がアグリゲートする各成分搬送波の上下リンク構成情報を付帯する場合、前記送信ユニット１１０２は、具体的に、当該ＤＣＩメッセージを受信する各端末にサービスを提供する伝送ノード及び／又は搬送波の各上下リンク構成情報を取得し、取得した各上下リンク構成情報をＤＣＩメッセージを通じて各端末に送信する。
【０１５１】
ＤＣＩメッセージに含まれる空きビットは、予め約定された固定値にセットされる。
【０１５２】
本発明の実施例は、端末をさらに提供する。図１２に示すように、当該端末は、受信ユニット１２０１と、解析ユニット１２０２とを含む。
【０１５３】
受信ユニット１２０１は、基地局から送信されるＤＣＩメッセージを受信する。ＤＣＩメッセージには、上下リンク構成情報を搬送するための上下リンク構成情報域が少なくとも１つ含まれており、ＤＣＩメッセージに含まれる上下リンク構成情報域のうちの少なくとも１つの各々が少なくとも１つの端末により解析される。
【０１５４】
解析ユニット１２０２は、予め設定したＤＣＩ構成情報に基づいて、ＤＣＩメッセージを解析してＤＣＩメッセージから自身の上下リンク構成を特定する。
【０１５５】
受信ユニット１２０１は、さらに、基地局が端末の伝送ノード、搬送波状態又は上下リンク柔軟な設定をサポートする状況の変化を特定した場合に送信する当該端末に対応する新しいＤＣＩ構成情報を受信する。
【０１５６】
ＤＣＩ構成情報には、具体的に、端末に対応する上下リンク構成情報域インデックス値を含む。前記上下リンク構成情報域インデックス値は、前記端末に関連する上下リンク構成情報のＤＣＩメッセージにおける位置を特定するためのものである。
【０１５７】
この場合、前記解析ユニットが、予め設定したＤＣＩ構成情報に基づいて、前記ＤＣＩメッセージから自身の上下リンク構成を特定することは、具体的に以下を含む。前記上下リンク構成情報域インデックス値に基づいて、前記ＤＣＩメッセージから自身の上下リンク構成を特定する。
【０１５８】
さらに、ＤＣＩメッセージは、予め設定したＴＤＤ‐ＲＮＴＩによりＣＲＣビットのスクランブリングが行なわれる。ＤＣＩ構成情報には、端末に対応するＤＣＩメッセージのＴＤＤ‐ＲＮＴＩ情報をさらに含む。前記解析ユニットが、予め設定したＤＣＩ構成情報に基づいて、前記ＤＣＩメッセージを解析することは、具体的に、前記ＴＤＤ‐ＲＮＴＩ情報に基づいて前記ＤＣＩメッセージを解析することを含む。
【０１５９】
ＤＣＩ構成情報には、ＤＣＩメッセージにおける有効情報域の長さ、又は、ＤＣＩメッセージにおける空き領域の長さをさらに含む。解析ユニット１２０２が、予め設定したＤＣＩ構成情報に基づいてＤＣＩメッセージを解析することは、具体的に、ＤＣＩメッセージにおける有効情報域の長さ、又は、ＤＣＩメッセージにおける空き領域の長さに基づいて、ＤＣＩメッセージに対して最大尤度検出を行うことを含む。
【０１６０】
１つの上下リンク構成情報域は、１つの搬送波及び／又は１つの伝送ノードに対応する。
【０１６１】
１つの上下リンク構成情報域は、長さが３ビットである。
【０１６２】
受信ユニット１２０１は、具体的に、基地局からＰＤＣＣＨ又はＥＰＤＣＣＨの共有検索空間で送信されるＤＣＩメッセージを受信する。
【０１６３】
具体的な状況に基づいて、以下２種類の伝送方式がある。各成分搬送波で伝送されるＤＣＩメッセージにおいて、本成分搬送波の上下リンク構成情報を付帯する。又は、各端末のメインセルで送信されるＤＣＩメッセージにおいて、当該端末がアグリゲートする各成分搬送波の上下リンク構成情報を付帯する。
【０１６４】
ＤＣＩメッセージに含まれる空きビットは、予め約定された固定値にセットされる。
【０１６５】
本発明の実施例は、プロセッサとデータ送受信機を含む基地局をさらに提供する。
【０１６６】
プロセッサは、上下リンク構成情報を特定するように構成され、上下リンク構成情報をＤＣＩメッセージを通じて少なくとも１つの端末に送信する。前記端末は、予め設定したＤＣＩ構成情報に基づいて、前記ＤＣＩメッセージを解析して前記ＤＣＩメッセージから自身の上下リンク構成を特定する。ＤＣＩメッセージには、上下リンク構成情報を搬送するための上下リンク構成情報域が少なくとも１つ含まれており、前記ＤＣＩメッセージに含まれる上下リンク構成情報域のうちの少なくとも１つの各々が少なくとも１つの端末により解析される。
【０１６７】
データ送受信機は、プロセッサによる制御でデータの送受信を行う。
【０１６８】
当該基地局は、本発明の実施例が提供する上下リンク構成の指示方法におけるほかの機能を実現するように構成されてもよい。
【０１６９】
当該基地局は、ＤＣＩメッセージ及び他の情報の送信を行う場合、送受信機モジュールと無線インタフェースにより実現することができる。
【０１７０】
本発明の実施例は、プロセッサとデータ送受信機を含む端末をさらに提供する。
【０１７１】
プロセッサは、基地局から送信されるＤＣＩメッセージを受信するように構成される。ＤＣＩメッセージには、上下リンク構成情報を搬送するための上下リンク構成情報域が少なくとも１つ含まれており、前記ＤＣＩメッセージに含まれる上下リンク構成情報域のうちの少なくとも１つの各々が少なくとも１つの端末により解析される。プロセッサは、予め設定したＤＣＩ構成情報に基づいて、前記ＤＣＩメッセージを解析してＤＣＩメッセージから自身の上下リンク構成を特定する。
【０１７２】
データ送受信機は、プロセッサによる制御でデータの送受信を行う。
【０１７３】
当該端末は、本発明の実施例が提供する上下リンク構成の特定方法におけるほかの機能を実現するように構成されてもよい。
【０１７４】
当該端末は、ＤＣＩメッセージ及び他の情報の受信を行う場合、送受信機モジュールと無線インタフェースにより実現することができる。
【０１７５】
本発明の実施例は、上下リンク構成の指示方法、特定方法並びに基地局、端末を提供する。基地局は、上下リンク構成情報をＤＣＩメッセージを通じて少なくとも１つの端末に送信し、ＤＣＩメッセージにおいて上下リンク構成情報を搬送するための上下リンク構成情報域を少なくとも１つ設定する。ＤＣＩメッセージにおける各上下リンク構成情報域のうちの少なくとも１つの各々が少なくとも１つの端末により解析される。ＤＣＩメッセージを受信した少なくとも１つの端末は、所定の構成に基づいて当該ＤＣＩメッセージを解析して当該ＤＣＩメッセージの該当位置から自身の上下リンク構成を取得する。このように、基地局から端末へのＴＤＤの上下リンク構成情報の指示が実現される。
【０１７６】
本発明の実施例は、方法、システム、又はコンピュータプログラムプロダクトとして提供されうると当業者が理解できる。従って、本発明は、完全ハードウェアの実施例、完全ソフトウェアの実施例、又はソフトウェアとハードウェアを組み合わせた実施例の形態を取り得る。しかも、本発明は、コンピュータ利用可能なプログラムコードを含む１つ又は複数のコンピュータ利用可能な記憶媒体（磁気ディスクメモリ、ＣＤ−ＲＯＭ、光学メモリなどを含むが、それらに限らない）で実施されるコンピュータプログラムプロダクトの形態を取り得る。
【０１７７】
本発明は、本発明の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フローチャートにおける１つ又は複数のフロー及び／又はブロック図における１つ又は複数のブロックにより指定される機能を実現するための装置を形成する。
【０１７８】
これらのコンピュータプログラムコマンドは、コンピュータ又は他のプログラマブルデータ処理デバイスが特定の方式で動作することを導けるコンピュータ読み出し可能なメモリに格納されてもよく、当該コンピュータ読み出し可能メモリに格納されるコマンドにより、コマンド装置を含むプロダクトを形成する。当該コマンド装置は、フローチャートにおける１つ又は複数のフロー及び／又はブロック図における１つ又は複数のブロックで指定される機能を実現する。
【０１７９】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートにおける１つ又は複数のフロー及び／又はブロック図における１つ又は複数のブロックで指定される機能を実現するためのステップを提供する。
【０１８０】
本発明の好ましい実施例を記載したが、当業者は、いったん進歩性を持つ基本的概念を知ると、これらの実施例について別途に変更や修正をすることができる。従って、添付する請求項は、好ましい実施例、及び、本発明の範囲にカバーされる全ての変更や修正を含むものであると解釈されることを意図とする。
【０１８１】
明らかに、当業者は、本発明の主旨や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
2016530771.tif 000006
【図２】
2016530771.tif 000007
【図３】
2016530771.tif 000008
【図４ａ】
2016530771.tif 000009
【図４ｂ】
2016530771.tif 000010
【図４ｃ】
2016530771.tif 000011
【図４ｄ】
2016530771.tif 000012
【図５】
2016530771.tif 000013
【図６ａ】
2016530771.tif 000014
【図６ｂ】
2016530771.tif 000015
【図７ａ】
2016530771.tif 000016
【図７ｂ】
2016530771.tif 000017
【図７ｃ】
2016530771.tif 000018
【図８ａ】
2016530771.tif 000019
【図８ｂ】
2016530771.tif 000020
【図９ａ】
2016530771.tif 000021
【図９ｂ】
2016530771.tif 000022
【図１０】
2016530771.tif 000023
【図１１】
2016530771.tif 000024
【図１２】
2016530771.tif 000025
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
上下リンク構成の指示方法であって、
基地局が上下リンク構成情報を特定することと、
基地局が上下リンク構成情報をＤＣＩメッセージを通じて少なくとも１つの端末に送信し、前記少なくとも１つの端末の各々が、予め設定したＤＣＩ構成情報に基づいて、前記ＤＣＩメッセージを解析して前記ＤＣＩメッセージから自身の上下リンク構成を特定すること
を含み、
前記ＤＣＩメッセージには、少なくとも１つの上下リンク構成情報域が含まれており、前記ＤＣＩメッセージに含まれる上下リンク構成情報域のうちの少なくとも１つの各々が少なくとも１つの端末により解析され、前記上下リンク構成情報域が前記上下リンク構成情報を搬送するためのものであることを特徴とする上下リンク構成の指示方法。
【請求項２】
前記ＤＣＩ構成情報には、具体的に、端末に対応する上下リンク構成情報域インデックス値を含み、
前記上下リンク構成情報域インデックス値は、前記端末に関連する上下リンク構成情報のＤＣＩメッセージにおける位置を特定するためのものであり、
前記端末が、当該上下リンク構成情報域インデックス値に基づいて、前記ＤＣＩメッセージから自身の上下リンク構成を特定することを特徴とする請求項１に記載の方法。
【請求項３】
前記ＤＣＩメッセージは、予め設定した時分割複信‐無線ネットワーク仮識別ＴＤＤ‐ＲＮＴＩにより巡回冗長検査ＣＲＣビットのスクランブリングが行なわれ、
前記ＤＣＩ構成情報には、具体的に、端末に対応するＤＣＩメッセージのＴＤＤ‐ＲＮＴＩ情報を含み、
前記端末が、当該ＴＤＤ‐ＲＮＴＩ情報に基づいて前記ＤＣＩメッセージを解析することを特徴とする請求項１に記載の方法。
【請求項４】
前記ＤＣＩ構成情報には、具体的に、前記ＤＣＩメッセージにおける有効情報域の長さ、又は、前記ＤＣＩメッセージにおける空き領域の長さを含むことを特徴とする請求項１に記載の方法。
【請求項５】
前記１つの上下リンク構成情報域は、１つの搬送波及び／又は１つの伝送ノードに対応することを特徴とする請求項１に記載の方法。
【請求項６】
前記１つの上下リンク構成情報域は、長さが３ビットであることを特徴とする請求項１に記載の方法。
【請求項７】
各成分搬送波で伝送されるＤＣＩメッセージにおいて、本成分搬送波の上下リンク構成情報を付帯し、又は、各端末のメインセルで送信されるＤＣＩメッセージにおいて、当該端末がアグリゲートする各成分搬送波の上下リンク構成情報を付帯することを特徴とする請求項１に記載の方法。
【請求項８】
各端末のメインセルで送信されるＤＣＩメッセージにおいて、当該端末がアグリゲートする各成分搬送波の上下リンク構成情報を付帯する場合、前記基地局が上下リンク構成情報をＤＣＩメッセージを通じて少なくとも１つの端末に送信することは、具体的に、
基地局が、当該ＤＣＩメッセージを受信する各端末にサービスを提供する伝送ノード及び／又は搬送波の各上下リンク構成情報を取得し、取得した各上下リンク構成情報をＤＣＩメッセージを通じて各端末に送信することを含むことを特徴とする請求項７に記載の方法。
【請求項９】
前記ＤＣＩメッセージに含まれる空きビットは、予め約定された固定値にセットされることを特徴とする請求項４に記載の方法。
【請求項１０】
上下リンク構成の特定方法であって、
端末が、基地局から送信されるＤＣＩメッセージを受信することと、
端末が、予め設定したＤＣＩ構成情報に基づいて、前記ＤＣＩメッセージを解析して前記ＤＣＩメッセージから自身の上下リンク構成を特定することを含み、
前記ＤＣＩメッセージには、少なくとも１つの上下リンク構成情報域が含まれており、前記ＤＣＩメッセージに含まれる上下リンク構成情報域のうちの少なくとも１つの各々が少なくとも１つの端末により解析され、前記上下リンク構成情報域が上下リンク構成情報を搬送するためのものであることを特徴とする上下リンク構成の特定方法。
【請求項１１】
前記ＤＣＩ構成情報には、具体的に、端末に対応する上下リンク構成情報域インデックス値を含み、
前記上下リンク構成情報域インデックス値は、前記端末に関連する上下リンク構成情報のＤＣＩメッセージにおける位置を特定するためのものであり、
前記端末が、予め設定したＤＣＩ構成情報に基づいて、前記ＤＣＩメッセージから自身の上下リンク構成を特定することは、具体的に、
端末が、当該上下リンク構成情報域インデックス値に基づいて、前記ＤＣＩメッセージから自身の上下リンク構成を特定することを含むことを特徴とする請求項１０に記載の方法。
【請求項１２】
前記ＤＣＩメッセージは、予め設定したＴＤＤ‐ＲＮＴＩによりＣＲＣビットのスクランブリングが行なわれ、
前記ＤＣＩ構成情報には、具体的に、端末に対応するＤＣＩメッセージのＴＤＤ‐ＲＮＴＩ情報を含み、
前記端末が、予め設定したＤＣＩ構成情報に基づいて、前記ＤＣＩメッセージを解析することは、具体的に、
端末が、前記ＴＤＤ‐ＲＮＴＩ情報に基づいて前記ＤＣＩメッセージを解析することを含むことを特徴とする請求項１０に記載の方法。
【請求項１３】
前記ＤＣＩ構成情報には、具体的に、前記ＤＣＩメッセージにおける有効情報域の長さ、又は、前記ＤＣＩメッセージにおける空き領域の長さを含み、
前記端末が、予め設定したＤＣＩ構成情報に基づいて、前記ＤＣＩメッセージを解析することは、具体的に、
端末が、前記ＤＣＩメッセージにおける有効情報域の長さ、又は、前記ＤＣＩメッセージにおける空き領域の長さに基づいて、前記ＤＣＩメッセージに対して最大尤度検出を行うことを含むことを特徴とする請求項１０に記載の方法。
【請求項１４】
前記１つの上下リンク構成情報域は、１つの搬送波及び／又は１つの伝送ノードに対応することを特徴とする請求項１０に記載の方法。
【請求項１５】
前記１つの上下リンク構成情報域は、長さが３ビットであることを特徴とする請求項１０に記載の方法。
【請求項１６】
各成分搬送波で伝送されるＤＣＩメッセージにおいて、本成分搬送波の上下リンク構成情報を付帯し、又は、各端末のメインセルで送信されるＤＣＩメッセージにおいて、当該端末がアグリゲートする各成分搬送波の上下リンク構成情報を付帯することを特徴とする請求項１０に記載の方法。
【請求項１７】
前記ＤＣＩメッセージに含まれる空きビットは、予め約定された固定値にセットされることを特徴とする請求項１３に記載の方法。
【請求項１８】
基地局であって、
上下リンク構成情報を特定するための特定ユニットと、
上下リンク構成情報をＤＣＩメッセージを通じて少なくとも１つの端末に送信するための送信ユニットを含み、
前記少なくとも１つの端末の各々が、予め設定したＤＣＩ構成情報に基づいて、前記ＤＣＩメッセージを解析して前記ＤＣＩメッセージから自身の上下リンク構成を特定し、
前記ＤＣＩメッセージには、少なくとも１つの上下リンク構成情報域が含まれており、前記ＤＣＩメッセージに含まれる上下リンク構成情報域のうちの少なくとも１つの各々が少なくとも１つの端末により解析され、前記上下リンク構成情報域が前記上下リンク構成情報を搬送するためのものであることを特徴とする基地局。
【請求項１９】
前記ＤＣＩ構成情報には、具体的に、端末に対応する上下リンク構成情報域インデックス値を含み、
前記上下リンク構成情報域インデックス値は、前記端末に関連する上下リンク構成情報のＤＣＩメッセージにおける位置を特定するためのものであり、
前記端末が、当該上下リンク構成情報域インデックス値に基づいて、前記ＤＣＩメッセージから自身の上下リンク構成を特定することを特徴とする請求項１８に記載の基地局。
【請求項２０】
前記ＤＣＩメッセージは、予め設定した時分割複信‐無線ネットワーク仮識別ＴＤＤ‐ＲＮＴＩにより巡回冗長検査ＣＲＣビットのスクランブリングが行なわれ、
前記ＤＣＩ構成情報には、具体的に、端末に対応するＤＣＩメッセージのＴＤＤ‐ＲＮＴＩ情報を含み、
前記端末が、当該ＴＤＤ‐ＲＮＴＩ情報に基づいて前記ＤＣＩメッセージを解析することを特徴とする請求項１８に記載の基地局。
【請求項２１】
前記ＤＣＩ構成情報には、具体的に、前記ＤＣＩメッセージにおける有効情報域の長さ、又は、前記ＤＣＩメッセージにおける空き領域の長さを含むことを特徴とする請求項１８に記載の基地局。
【請求項２２】
前記１つの上下リンク構成情報域は、１つの搬送波及び／又は１つの伝送ノードに対応することを特徴とする請求項１８に記載の基地局。
【請求項２３】
前記１つの上下リンク構成情報域は、長さが３ビットであることを特徴とする請求項１８に記載の基地局。
【請求項２４】
各成分搬送波で伝送されるＤＣＩメッセージにおいて、本成分搬送波の上下リンク構成情報を付帯し、又は、各端末のメインセルで送信されるＤＣＩメッセージにおいて、当該端末がアグリゲートする各成分搬送波の上下リンク構成情報を付帯することを特徴とする請求項１８に記載の基地局。
【請求項２５】
各端末のメインセルで送信されるＤＣＩメッセージにおいて、当該端末がアグリゲートする各成分搬送波の上下リンク構成情報を付帯する場合、前記送信ユニットは、具体的に、
当該ＤＣＩメッセージを受信する各端末にサービスを提供する伝送ノード及び／又は搬送波の各上下リンク構成情報を取得し、取得した各上下リンク構成情報をＤＣＩメッセージを通じて各端末に送信することを特徴とする請求項２４に記載の基地局。
【請求項２６】
前記ＤＣＩメッセージに含まれる空きビットは、予め約定された固定値にセットされることを特徴とする請求項２１に記載の基地局。
【請求項２７】
端末であって、
基地局から送信されるＤＣＩメッセージを受信するための受信ユニットと、
予め設定したＤＣＩ構成情報に基づいて、前記ＤＣＩメッセージを解析して前記ＤＣＩメッセージから自身の上下リンク構成を特定するための解析ユニットを含み、
前記ＤＣＩメッセージには、少なくとも１つの上下リンク構成情報域が含まれており、前記ＤＣＩメッセージに含まれる上下リンク構成情報域のうちの少なくとも１つの各々が少なくとも１つの端末により解析され、上下リンク構成情報域が上下リンク構成情報を搬送するためのものであることを特徴とする端末。
【請求項２８】
前記ＤＣＩ構成情報には、具体的に、端末に対応する上下リンク構成情報域インデックス値を含み、
前記上下リンク構成情報域インデックス値は、前記端末に関連する上下リンク構成情報のＤＣＩメッセージにおける位置を特定するためのものであり、
前記解析ユニットが、予め設定したＤＣＩ構成情報に基づいて、前記ＤＣＩメッセージから自身の上下リンク構成を特定することは、具体的に、
前記上下リンク構成情報域インデックス値に基づいて、前記ＤＣＩメッセージから自身の上下リンク構成を特定することを含むことを特徴とする請求項２７に記載の端末。
【請求項２９】
前記ＤＣＩメッセージは、予め設定したＴＤＤ‐ＲＮＴＩにより巡回冗長検査ＣＲＣビットのスクランブリングが行なわれ、
前記ＤＣＩ構成情報には、具体的に、端末に対応するＤＣＩメッセージのＴＤＤ‐ＲＮＴＩ情報を含み、
前記解析ユニットが、予め設定したＤＣＩ構成情報に基づいて、前記ＤＣＩメッセージを解析することは、具体的に、
前記ＴＤＤ‐ＲＮＴＩ情報に基づいて前記ＤＣＩメッセージを解析することを含むことを特徴とする請求項２７に記載の端末。
【請求項３０】
前記ＤＣＩ構成情報には、具体的に、前記ＤＣＩメッセージにおける有効情報域の長さ、又は、前記ＤＣＩメッセージにおける空き領域の長さを含み、
前記解析ユニットが、予め設定したＤＣＩ構成情報に基づいて、前記ＤＣＩメッセージを解析することは、具体的に、
前記ＤＣＩメッセージにおける有効情報域の長さ、又は、前記ＤＣＩメッセージにおける空き領域の長さに基づいて、前記ＤＣＩメッセージに対して最大尤度検出を行うことを含むことを特徴とする請求項２７に記載の端末。
【請求項３１】
前記１つの上下リンク構成情報域は、１つの搬送波及び／又は１つの伝送ノードに対応することを特徴とする請求項２７に記載の端末。
【請求項３２】
前記１つの上下リンク構成情報域は、長さが３ビットであることを特徴とする請求項２７に記載の端末。
【請求項３３】
各成分搬送波で伝送されるＤＣＩメッセージにおいて、本成分搬送波の上下リンク構成情報を付帯し、又は、各端末のメインセルで送信されるＤＣＩメッセージにおいて、当該端末がアグリゲートする各成分搬送波の上下リンク構成情報を付帯することを特徴とする請求項２７に記載の端末。
【請求項３４】
前記ＤＣＩメッセージに含まれる空きビットは、予め約定された固定値にセットされることを特徴とする請求項３０に記載の端末。
【国際調査報告】
2016530771.tif 000026
2016530771.tif 000027
2016530771.tif 000028
2016530771.tif 000029